(57)【要約】  本発明に係る照明装置は、色温度が異なる複数の発光素子を有する光源ユニットと、前記光源ユニットを制御する点灯制御部と、を備える。前記点灯制御部は、前記複数の発光素子のうちの第１発光素子群に第１供給電流を供給して前記光源ユニットから第１色温度の光を放射させる第１点灯処理と、前記複数の発光素子のうちの第２発光素子群に第２供給電流を供給して前記光源ユニットから前記第１色温度とは異なる第２色温度の光を放射させる第２点灯処理と、を実行するように構成される。前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成される。
2013061749.tif 000002
【特許請求の範囲】
【請求項１】
色温度が異なる複数の発光素子を有する光源ユニットと、
前記光源ユニットを制御する点灯制御部と、
を備え、
前記点灯制御部は、
前記複数の発光素子のうちの第１発光素子群に第１供給電流を供給して、前記光源ユニットから第１色温度の光を放射させる第１点灯処理と、
前記複数の発光素子のうちの第２発光素子群に第２供給電流を供給して、前記光源ユニットから前記第１色温度とは異なる第２色温度の光を放射させる第２点灯処理と、
を実行するように構成され、
前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成される
ことを特徴とする照明装置。
【請求項２】
前記点灯制御部は、前記第１光束が前記第２光束に等しくなるように、前記第１供給電流の大きさを前記第２供給電流と異ならせるように構成される
ことを特徴とする請求項１に記載の照明装置。
【請求項３】
前記第１色温度は、前記第２色温度より低く、
前記点灯制御部は、前記第１光束が前記第２光束に等しくなるように、前記第２供給電流の大きさを前記第１供給電流よりも小さくするように構成される
ことを特徴とする請求項２に記載の照明装置。
【請求項４】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束よりも少なくなるように、決定される
ことを特徴とする請求項３に記載の照明装置。
【請求項５】
前記第１発光素子群に含まれる前記発光素子の数は、前記第２発光素子群に含まれる前記発光素子の数に等しい
ことを特徴とする請求項４に記載の照明装置。
【請求項６】
前記第１発光素子群および前記第２発光素子群は、前記第１供給電流の大きさが前記第２供給電流に等しいときに前記第２光束が前記第１光束と等しくなるように決定され、
前記点灯制御部は、前記第１供給電流の大きさを前記第２供給電流と一致させるように構成される
ことを特徴とする請求項１に記載の照明装置。
【請求項７】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束と等しくなるように、選択される
ことを特徴とする請求項６に記載の照明装置。
【請求項８】
前記第１色温度は、前記第２色温度より低く、
前記第１発光素子群に含まれる前記発光素子の数は、前記第２発光素子群に含まれる前記発光素子の数よりも多い
ことを特徴とする請求項７に記載の照明装置。
【請求項９】
前記第１色温度は、前記第２色温度より低く、
前記第１発光素子群は、前記第１色温度の光の主成分となる光を放射する第１発光素子を含み、
前記第１供給電流の大きさは、前記第１発光素子の光束が定格光束となるように決定される
ことを特徴とする請求項１に記載の照明装置。
【請求項１０】
前記第１色温度は、前記第２色温度より低く、
前記第２発光素子群は、前記第２色温度の光の主成分となる光を放射する第２発光素子を含み、
前記第２供給電流の大きさは、前記第２発光素子の光束が定格光束となるように決定される
ことを特徴とする請求項１に記載の照明装置。
【請求項１１】
所定の場所の照度を測定する照度検出部を備え、
前記点灯制御部は、前記照度検出部で測定された前記照度が所定値となるように、前記第１供給電流および前記第２供給電流の大きさを調整するように構成される
ことを特徴とする請求項１に記載の照明装置。
【請求項１２】
請求項１に記載の照明装置と、
前記照明装置を保持する器具本体と、
を備える
ことを特徴とする照明器具。
【発明の詳細な説明】
【技術分野】
【０００１】
本発明は、照明装置及びそれを用いた照明器具、特に発光ダイオード（ＬＥＤ）を光源とする照明装置及びそれを用いた照明器具に関するものである。
【背景技術】
【０００２】
従来より、発光色が異なる複数種類の光源を有し、各光源の光出力を各別に調整（調光）して混色させることにより、照明空間に照射される光の色を調光可能とした照明装置が提供されている（例えば文献１：日本国公開特許公報第２０１１−４９１２３号（段落［００６１］−段落［００６８］、及び、第８図参照）。【０００３】
この照明装置は、白色光を照射する白色ＬＥＤと、昼光色の光を照射する昼光色ＬＥＤと、電球色の光を照射する電球色ＬＥＤとを有し、赤外線リモコンから送信される赤外線信号に含まれる制御コマンドに応じて、各色のＬＥＤの光出力を決定している。またこの照明装置によれば、白色ＬＥＤ、昼光色ＬＥＤ又は電球色ＬＥＤの何れかを単体で点灯させることも可能である。【０００４】
ところで、発光色が異なる複数種類の光源にそれぞれ同じ大きさの電流を流した場合、一般的に色温度の高い光源の光束が大きく、色温度の低い光源の光束が小さくなる。したがって、上述の特許文献１に示した照明装置において各ＬＥＤにそれぞれ同じ大きさの電流を流した場合には、色温度が最も高い白色ＬＥＤの光束が最も大きく、色温度が最も低い電球色ＬＥＤの光束が最も小さくなる。そのため、白色ＬＥＤを点灯させた状態から昼光色ＬＥＤや電球色ＬＥＤに切り替えた際には光束が低下し、利用者に違和感を感じさせる場合があった。【０００５】
また、上記問題を解決するために、昼光色ＬＥＤや電球色ＬＥＤの光出力を増加させて光束の低下を補う方法もあるが、昼光色ＬＥＤや電球色ＬＥＤを全点灯させても光束の低下を補えない場合があった。
【発明の開示】
【０００６】
本発明は上記問題点に鑑みて為されたものであり、その目的とするところは、発光色の切り替えに起因する光束の変化を低減できる照明装置及びそれを用いた照明器具を提供することにある。
【０００７】
本発明に係る第１の形態の照明装置は、色温度が異なる複数の発光素子を有する光源ユニットと、前記光源ユニットを制御する点灯制御部と、を備える。前記点灯制御部は、前記複数の発光素子のうちの第１発光素子群に第１供給電流を供給して前記光源ユニットから第１色温度の光を放射させる第１点灯処理と、前記複数の発光素子のうちの第２発光素子群に第２供給電流を供給して前記光源ユニットから前記第１色温度とは異なる第２色温度の光を放射させる第２点灯処理と、を実行するように構成される。前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成される。
【０００８】
本発明に係る第２の形態の照明装置では、第１の形態において、前記点灯制御部は、前記第１光束が前記第２光束に等しくなるように、前記第１供給電流の大きさを前記第２供給電流と異ならせるように構成される。
【０００９】
本発明に係る第３の形態の照明装置では、第２の形態において、前記第１色温度は、前記第２色温度より低い。前記点灯制御部は、前記第１光束が前記第２光束に等しくなるように、前記第２供給電流の大きさを前記第１供給電流よりも小さくするように構成される。
【００１０】
本発明に係る第４の形態の照明装置では、第３の形態において、前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束よりも少なくなるように、決定される。
【００１１】
本発明に係る第５の形態の照明装置では、第４の形態において、前記第１発光素子群に含まれる前記発光素子の数は、前記第２発光素子群に含まれる前記発光素子の数に等しい。
【００１２】
本発明に係る第６の形態の照明装置では、第１の形態において、前記第１発光素子群および前記第２発光素子群は、前記第１供給電流の大きさが前記第２供給電流に等しいときに前記第２光束が前記第１光束と等しくなるように決定される。前記点灯制御部は、前記第１供給電流の大きさを前記第２供給電流と一致させるように構成される。
【００１３】
本発明に係る第７の形態の照明装置では、第６の形態において、前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束と等しくなるように、選択される。
【００１４】
本発明に係る第８の形態の照明装置では、第７の形態において、前記第１色温度は、前記第２色温度より低い。前記第１発光素子群に含まれる前記発光素子の数は、前記第２発光素子群に含まれる前記発光素子の数よりも多い。
【００１５】
本発明に係る第９の形態の照明装置では、第１〜第８の形態のいずれか１つにおいて、前記第１色温度は、前記第２色温度より低い。前記第１発光素子群は、前記第１色温度の光の主成分となる光を放射する第１発光素子を含む。前記第１供給電流の大きさは、前記第１発光素子の光束が定格光束となるように決定される。
【００１６】
本発明に係る第１０の形態の照明装置では、第１〜第８の形態のいずれか１つにおいて、前記第１色温度は、前記第２色温度より低い。前記第２発光素子群は、前記第２色温度の光の主成分となる光を放射する第２発光素子を含む。前記第２供給電流の大きさは、前記第２発光素子の光束が定格光束となるように決定される。
【００１７】
本発明に係る第１１の形態の照明装置は、第１〜第１０の形態のいずれか１つにおいて、所定の場所の照度を測定する照度検出部を備える。前記点灯制御部は、前記照度検出部で測定された前記照度が所定値となるように、前記第１供給電流および前記第２供給電流の大きさを調整するように構成される。
【００１８】
本発明に係る第１２の形態の照明器具は、第１〜第１１の形態のいずれか１つの照明装置と、前記照明装置を保持する器具本体と、を備える。
【図面の簡単な説明】
【００１９】
【図１】実施形態１の照明装置の概略図である。
【図２】実施形態１の照明装置の光源ユニットの概略図である。
【図３】実施形態１の照明装置のブロック図である。
【図４】実施形態１の照明装置の点灯回路部のブロック図である。
【図５】実施形態１の照明装置の光源ユニットの概略正面図である。
【図６】実施形態１の照明装置の光源ユニットに用いられるＬＥＤの順電流と相対光束との関係を示すグラフである。
【図７】実施形態１の照明装置の光源ユニットの全光束と調色比との関係を説明するための説明図である。
【図８】実施形態１の照明装置を操作するためのリモートコントローラのブロック図である。
【図９】上記リモートコントローラの概略正面図である。
【図１０】実施形態３の照明装置の光源ユニットの概略図である。
【図１１】実施形態３の照明装置の光源ユニットに用いられるＬＥＤの順電流と相対光束との関係を示すグラフである。
【図１２】実施形態３の照明装置の光源ユニットの全光束と調色比との関係を説明するための説明図である。
【図１３】実施形態４の照明装置の光源ユニットの概略図である。
【図１４】実施形態４の照明装置の光源ユニットの全光束と調色比との関係を説明するための説明図である。
【図１５】実施形態５の照明装置の概略図である。
【図１６】実施形態５の照明装置の光源ユニットの概略図である。
【図１７】実施形態５の照明装置の光源ユニットの概略正面図である。
【図１８】実施形態５の照明装置の光源ユニットの全光束と調色比との関係を説明するための説明図である。
【図１９】実施形態６の照明器具を天井面に取り付けた状態の断面図である。
【図２０】実施形態６の照明器具の分解斜視図である。
【発明を実施するための形態】
【００２０】
（実施形態１）
本実施形態の照明装置は、図１に示すように、複数（図示例では４つ）の光源ユニット２と、光源ユニット２を制御する点灯制御部６と、を備える。なお、光源ユニット２の数は４つに限定されない。すなわち、照明装置は、１以上の光源ユニット２を有していてもよい。
【００２１】
光源ユニット２は、色温度が異なる複数（図示例では４８個）の発光素子２２０を有する。本実施形態において、発光素子２２０は、ＬＥＤである。したがって、光源ユニット２は、ＬＥＤユニットであるといえる。
【００２２】
複数の発光素子（ＬＥＤ）２２０は、互いに色温度が異なる２種類の発光素子（ＬＥＤ）２２１，２２２を含む。例えば、光源ユニット２は、図２に示すように、２４個の（第１）発光素子（ＬＥＤ）２２１と、２４個の（第２）発光素子（ＬＥＤ）２２２と、を備える。
【００２３】
第１発光素子（ＬＥＤ）２２１は、相対的に色温度の低い光（例えば、電球色に相当する色の光）を放射するように構成される。４８個の発光素子２２０のうちの２４個の第１発光素子２２１は、光源ユニット２から色温度（第１色温度）の光を放射させるための発光素子群（第１発光素子群）を構成する。すなわち、第１発光素子群は、第１色温度（電球色に相当する色温度）の光の主成分となる光を放射する第１発光素子（ＬＥＤ）２２１を含む。よって、第１発光素子群は、第１色温度の光を放射する光源（ＬＥＤ光源）２２（２２Ａ）を構成する。
【００２４】
第２発光素子（ＬＥＤ）２２２は、相対的に色温度の高い光（例えば、昼白色に相当する色の光）を放射するように構成される。４８個の発光素子２２０のうちの２４個の第２発光素子２２２は、光源ユニット２から色温度（第１色温度とは異なる第２色温度）の光を放射させるための発光素子群（第２発光素子群）を構成する。すなわち、第２発光素子群は、第２色温度（昼白色に相当する色温度）の光の主成分となる光を放射する第２発光素子（ＬＥＤ）２２２を含む。よって、第２発光素子群は、第２色温度の光を放射する光源（ＬＥＤ光源）２２（２２Ｂ）を構成する。
【００２５】
なお、発光素子群は、１つの発光素子２２０により構成されていてもよい。すなわち、発光素子群は、１以上の発光素子２２０により構成されていてもよい。
【００２６】
本実施形態の光源ユニット２は、２つの発光素子群を有する（すなわち、ＬＥＤユニット２は、２つのＬＥＤ光源２２を有する）。しかしながら、光源ユニット２は、３以上の発光素子群を有していてもよい（すなわち、ＬＥＤユニット２は、３以上のＬＥＤ光源２２を有していてもよい）。
【００２７】
点灯制御部６は、複数の点灯処理を実行するように構成される。点灯処理では、点灯制御部６は、複数の発光素子２２０のうちの所定の発光素子群に所定の供給電流を供給して、光源ユニット２から所定の色温度の光を放射させる。
【００２８】
点灯制御部６は、例えば、２つの点灯処理（第１点灯処理および第２点灯処理）を実行するように構成される。
【００２９】
第１点灯処理では、点灯制御部６は、複数の発光素子２２０のうちの第１発光素子群（ＬＥＤ光源）２２Ａに第１供給電流を供給して、光源ユニット２から第１色温度の光（本実施形態では、電球色の光）を放射させる。
【００３０】
第２点灯処理では、点灯制御部６は、複数の発光素子２２０のうちの第２発光素子群（ＬＥＤ光源）２２Ｂに第２供給電流を供給して、光源ユニット２から第１色温度とは異なる第２色温度の光（本実施形態では、昼白色の光）を放射させる。
【００３１】
また、点灯制御部６は、複数の点灯処理のそれぞれにおける光源ユニット２の光束（全光束）が互いに等しくなるように、複数の点灯処理のそれぞれにおける供給電流の大きさを調整するように構成される。
【００３２】
例えば、点灯制御部６は、第１点灯処理における光源ユニット２の光束（第１光束）が第２点灯処理における光源ユニット２の光束（第２光束）に等しくなるように、第１供給電流と第２供給電流とのそれぞれの大きさを調整するように構成される。なお、第１光束と第２光束とは厳密な意味で等しい必要はない。第１点灯処理と第２点灯処理とを切り替えた際に利用者に違和感を覚えさせないのであれば、第１光束と第２光束とは等しいとみなしてよい。
【００３３】
以下、本実施形態の照明装置についてさらに詳細に説明する。本実施形態の照明装置は、図３に示すように、ＬＥＤユニット２と、ＬＥＤユニット２のＬＥＤ光源２２（２２Ａ，２２Ｂ）を各別に点灯制御する点灯制御部６とを備える。
【００３４】
図５はＬＥＤユニット２の外観図（概略正面図）である。このＬＥＤユニット２は、円弧状に湾曲形成されたプリント基板２１と、プリント基板２１に実装される複数（本実施形態では４８個）のＬＥＤ２２０（２２１，２２２）と、隣接するプリント基板２１，２１間を電気的に接続するためのコネクタ２３，２４とを備える。
【００３５】
プリント基板２１は、例えば、樹脂または金属（例えばアルミニウム）を用いて形成される。プリント基板２１は、円弧状（略扇状）に形成されている。プリント基板２１の厚みは、例えば、１．０ｍｍに設定される。なお、プリント基板２１は円弧状に限定されない。
【００３６】
プリント基板２１の一面には、色温度の異なるＬＥＤ２２１，２２２がプリント基板２１の長手方向に沿って交互に実装されるとともに、プリント基板２１の短手方向（幅方向）において２列に実装されている。
【００３７】
具体的には、各１３個のＬＥＤ２２１，２２２が外側列（図５における右側の列）に配置され、各１１個のＬＥＤ２２１，２２２が内側列（図５における左側の列）に配置されている。
【００３８】
すなわち、プリント基板２１の一面には、色温度の異なるＬＥＤ２２１，２２２が実装される。プリント基板２１の一面における短手方向（幅方向）の一端側（図５における右端側）にはプリント基板２１の長手方向に沿う発光素子アレイ（第１発光素子アレイ）が設けられ、短手方向（幅方向）の他端側（図５における左端側）にはプリント基板２１の長手方向に沿う発光素子アレイ（第２発光素子アレイ）が設けられる。
【００３９】
第１発光素子アレイは、１３個のＬＥＤ２２１と１３個のＬＥＤ２２２との合計２６個のＬＥＤ２２０を含む。第２発光素子アレイは、１１個のＬＥＤ２２１と１１個のＬＥＤ２２２との合計２２個のＬＥＤ２２０を含む。
【００４０】
第１および第２発光素子アレイでは、ＬＥＤ２２１，２２２が交互に等間隔で一列に配置されている。なお、図５では、ＬＥＤ２２１，２２２同士を区別するために、ＬＥＤ２２１をドットパターンで示している。
【００４１】
すなわち、複数のＬＥＤ２２１および複数のＬＥＤ２２２は、プリント基板２１の一面（ＬＥＤユニット２の表面）において光束が一様に分布するように、プリント基板２１の一面に実装されている。そのため、第１点灯処理および第２点灯処理のいずれにおいても、ＬＥＤユニット２の表面における光の明るさが均一になる。
【００４２】
このように、ＬＥＤ２２１，２２２を交互に配置することによってＬＥＤ２２１，２２２が均等に配置されることになり、光ムラが抑制される。
【００４３】
また、第１点灯処理におけるＬＥＤユニット２の発光領域と第２点灯処理におけるＬＥＤユニット２の発光領域とが実質的に同じになる。したがって、第１点灯処理と第２点灯処理とを切り替えてもＬＥＤユニット２の発光領域は実質的には変化しない。そのため、利用者に違和感を与えることを防止できる。
【００４４】
また、プリント基板２１の長手方向における両端部にはコネクタ２３，２４がそれぞれ実装されているが、コネクタ２３，２４を上記両端部に実装することで隣接するＬＥＤユニット２，２間を接続するハーネス８（図１参照）を短くすることができる。
【００４５】
ここに本実施形態では、複数のＬＥＤ２２１により光源（ＬＥＤ光源）２２Ａが構成され、複数のＬＥＤ２２２により光源（ＬＥＤ光源）２２Ｂが構成されている。
【００４６】
コネクタ２３は、ＬＥＤ光源２２のアノード端子を外部回路（例えば、点灯制御部６や別のＬＥＤユニット２）に接続するために用いられる。また、コネクタ２４は、ＬＥＤ光源２２のカソード端子を外部回路（例えば、点灯制御部６や別のＬＥＤユニット２）に接続するために用いられる。
【００４７】
図２はＬＥＤユニット（光源ユニット）２の回路図である。
【００４８】
ＬＥＤ光源２２Ａは、相対的に色温度の低い光（電球色に相当する色の光）を放射するＬＥＤ２２１（例えば、ＮＳ２Ｌ１５７ＡＲＴ−Ｈ３：日亜化学工業株式会社製）を６個直列接続した直列回路が並列に４つ接続されており、各直列回路のアノード側はコネクタ２３の１番ピンｐｉｎ１に接続され、各直列回路のカソード側はコネクタ２４の３番ピンｐｉｎ３に接続されている。
【００４９】
またＬＥＤ光源２２Ｂは、相対的に色温度の高い光（昼白色に相当する色の光）を放射するＬＥＤ２２２（例えば、ＮＳ２Ｗ１５７ＡＲＴ−Ｈ３：日亜化学工業株式会社製）を６個直列接続した直列回路が並列に４つ接続されており、各直列回路のアノード側はコネクタ２３の４番ピンｐｉｎ４に接続され、各直列回路のカソード側はコネクタ２４の１番ピンｐｉｎ１に接続されている。
【００５０】
なお、日本工業規格（ＪＩＳ  Ｚ９１１０  照明基準総則）において、相関色温度が３３００Ｋ未満の光色が「暖色」、５３００Ｋを超える光色が「涼色」、３３００Ｋ〜５３００Ｋの範囲の光色が「中間色」と定義されている。
【００５１】
また、同じ大きさの電流を流した場合には相対的に色温度の高いＬＥＤの光束が相対的に色温度の低いＬＥＤの光束よりも大きくなる関係にあり、本実施形態では、同じ大きさの電流を流した場合にはＬＥＤ２２２の光束がＬＥＤ２２１の光束よりも大きくなる。
【００５２】
このように、本実施形態の光源ユニット（ＬＥＤユニット）２では、第１色温度は、第２色温度より低い。例えば、第１色温度は電球色に相当する色の光の色温度であり、第２色温度は昼白色に相当する色の光の色温度である。なお、第１色温度および第２色温度は上記の例に限定されない。
【００５３】
ここで、第１発光素子群（ＬＥＤ光源）２２Ａに含まれる発光素子（ＬＥＤ）２２１の数と第２発光素子群（ＬＥＤ光源）２２Ｂに含まれる発光素子（ＬＥＤ）２２２の数とは、第１供給電流の大きさが第２供給電流と同じ大きさである場合に第１光束が第２光束よりも少なくなるように、決定される。
【００５４】
特に、本実施形態の照明装置では、第１発光素子群（ＬＥＤ光源）２２Ａに含まれる発光素子（ＬＥＤ）２２１の数は、第２発光素子群（ＬＥＤ光源）２２Ｂに含まれる発光素子（ＬＥＤ）２２２の数に等しい。具体的には、ＬＥＤ光源２２Ａに含まれるＬＥＤ２２１の数とＬＥＤ光源２２Ｂに含まれるＬＥＤ２２２の数は、ともに２４である。
【００５５】
また、本実施形態の照明装置では、光源ユニット２は、複数のＬＥＤ２２０（２２１，２２２）と、複数のＬＥＤ２２０が実装される基板（プリント基板）２１と、を備える。ここで、複数のＬＥＤ２２１および複数のＬＥＤ２２２は、プリント基板２１の一面（ＬＥＤユニット２の表面）において光束が一様に分布するように、プリント基板２１の一面に実装されている。そのため、第１点灯処理および第２点灯処理のいずれにおいても、ＬＥＤユニット２の表面における光の明るさが均一になる。
【００５６】
また、複数のＬＥＤ２２１と複数のＬＥＤ２２２とはプリント基板１の一面に交互に配置されている。そのため、第１点灯処理におけるＬＥＤユニット２の発光領域と第２点灯処理におけるＬＥＤユニット２の発光領域とが実質的に同じになる。よって、第１点灯処理と第２点灯処理とを切り替えてもＬＥＤユニット２の発光領域は実質的には変化しない。したがって、利用者に違和感を与えることを防止できる。
【００５７】
点灯制御部６は、例えば、図３に示すように、複数（図示例では２つ）の点灯回路部６０（６１，６２）と、点灯回路部６０（６１，６２）を各別に制御する制御部６３と、力率改善回路６４と、リモコン受信部６５とを備える。
【００５８】
力率改善回路６４は従来周知の昇圧チョッパ回路からなり、商用の交流電源２０から供給される交流電圧よりも高い直流電圧を出力する。
【００５９】
制御部６３は、マイクロコンピュータ及びＲＯＭやＲＡＭなどのメモリで構成され、メモリに予め記憶させてあるプログラムに従って各点灯回路部６１，６２を各別に制御する。なお、制御部６３の動作電源は、図示しない電源回路が力率改善回路６４の出力電圧から作成して供給される。
【００６０】
点灯回路部６０（６１，６２）は、図４に示すように、力率改善回路６４から出力される直流電圧を所望の直流電圧まで降圧する降圧チョッパ回路と、降圧チョッパ回路を駆動する駆動回路６０１（６１１，６２１）とで構成される。
【００６１】
降圧チョッパ回路は、ダイオードＤ１と、スイッチング素子Ｑ１と、抵抗Ｒ１と、平滑コンデンサＣ１と、インダクタＬ１と、抵抗Ｒ２と、を備える。
【００６２】
このような降圧チョッパ回路は従来周知であって、力率改善回路６４の正極側の出力端子にダイオードＤ１のカソードが接続され、ダイオードＤ１のアノードと力率改善回路６４の負極側の出力端子との間にスイッチング素子Ｑ１及び抵抗Ｒ１の直列回路が挿入されている。また、ダイオードＤ１のカソード・アノード間に、電解コンデンサからなる平滑コンデンサＣ１及びインダクタＬ１が直列に接続され、平滑コンデンサＣ１の両端に放電用の抵抗Ｒ２が接続されている。
【００６３】
この降圧チョッパ回路の動作は従来周知であって、スイッチング素子Ｑ１が高周波でスイッチングされることにより、入力電圧（力率改善回路６４の出力電圧）から降圧された直流電圧が平滑コンデンサＣ１の両端から出力される。
【００６４】
また駆動回路６０１（６１１，６２１）は、制御部６３から与えられる制御信号に応じてスイッチング素子Ｑ１をスイッチングするものである。
【００６５】
ここで、制御部６３は、点灯回路部６０（６１，６２）のスイッチング素子Ｑ１を間欠動作させ且つ間欠動作の周期に対する動作時間（オン時間）のデューティ比を上限値（例えば、１００％）から下限値（例えば、５％）の範囲で増減することによってＬＥＤ光源２２（２２Ａ，２２Ｂ）の光出力を調整（調光）することができる。
【００６６】
つまり、デューティ比が高くなるほどＬＥＤ光源２２（２２Ａ，２２Ｂ）の光出力（光束）が増加し、ディーティ比が低くなるほどＬＥＤ光源２２（２２Ａ，２２Ｂ）の光出力（光束）が減少する。そして、デューティ比が１００％（調光範囲の上限値）の場合はスイッチング素子Ｑ１が常にオンとなりＬＥＤ光源２２（２２Ａ，２２Ｂ）が定格点灯する。一方、デューティ比が０％の場合はオン時間が０であるから、スイッチング素子Ｑ１が常にオフとなる。したがって、ＬＥＤ光源２２（２２Ａ，２２Ｂ）が消灯する。なお以下の説明では、上述のディーティ比を調光比と呼ぶ。
【００６７】
また本実施形態では、ＬＥＤ光源２２ＡのＬＥＤ２２１の発光色（電球色）とＬＥＤ光源２２ＢのＬＥＤ２２２の発光色（昼白色）が異なっている。したがって、制御部６３がＬＥＤ光源２２Ａの光出力（調光比）とＬＥＤ光源２２Ｂの光出力（調光比）との割合を変化させることにより、ＬＥＤ光源２２Ａ，２２Ｂから照明空間に照射される光（以下、照明光と呼ぶ。）の色を電球色と中間色（電球色と昼白色との間の色）と昼白色の間で調整（調色）することができる。
【００６８】
つまり、ＬＥＤ光源２２Ａの光出力（調光比）の割合が高くなるほど色温度が低くなり、ＬＥＤ光源２２Ｂの光出力（調光比）の割合が高くなるほど色温度が高くなる。
【００６９】
そして、ＬＥＤ光源２２Ａの調光比が０％よりも高く且つＬＥＤ光源２２Ｂの調光比が０％の場合は光色が電球色となり、ＬＥＤ光源２２Ａの調光比が０％且つＬＥＤ光源２２Ｂの調光比が０％よりも高い場合は光色が昼白色となる。
【００７０】
すなわち、ＬＥＤ光源２２Ａが点灯し、ＬＥＤ光源２２Ｂが消灯している場合、ＬＥＤユニット２は、電球色の光を放射する。ＬＥＤ光源２２Ａが消灯し、ＬＥＤ光源２２Ｂが点灯している場合、ＬＥＤユニット２は、昼白色の光を放射する。
【００７１】
なお以下の説明では、ＬＥＤ光源２２Ａの調光比とＬＥＤ光源２２Ｂの調光比との割合を調色比と呼び、ＬＥＤ光源２２Ａの調光比とＬＥＤ光源２２Ｂの調光比の総和（照明光の調光比）を全調光比と呼ぶ。
【００７２】
図７はＬＥＤ光源２２Ａ，２２Ｂの全光束と調色比の関係を模式的に表した図である。
【００７３】
図７におけるＰ１は、ＬＥＤ光源２２Ａの調光比が０％であり、ＬＥＤ光源２２Ｂの調光比が１００％である状態（調色比＝０：１００）を示す。Ｐ１は、点灯制御部６が第２点灯処理を実行した状態に対応する。すなわち、Ｐ１では、ＬＥＤユニット２は、昼白色の光を放射する。なお、Ｐ１において、ＬＥＤ光源２２Ａの調光比は０％ではなく５％（下限値）であってもよい。Ｐ１では、ＬＥＤ光源２２Ｂの調光比が１００％であるから、ＬＥＤ光源２２Ａからの光の影響がほとんどなく、ＬＥＤユニット２から放射される光は実質的には昼白色の光となる。
【００７４】
図７におけるＰ２は、ＬＥＤ光源２２Ａの調光比が１００％であり、ＬＥＤ光源２２Ｂの調光比が０％である状態（調色比＝１００：０）を示す。Ｐ２は、点灯制御部６が第１点灯処理を実行した状態に対応する。すなわち、Ｐ２では、ＬＥＤユニット２は、電球色の光を放射する。なお、Ｐ２において、ＬＥＤ光源２２Ｂの調光比は０％ではなく５％（下限値）であってもよい。Ｐ２では、ＬＥＤ光源２２Ａの調光比が１００％であるから、ＬＥＤ光源２２Ｂからの光の影響がほとんどなく、ＬＥＤユニット２から放射される光は実質的には電球色の光となる。
【００７５】
図７におけるＰ３は、ＬＥＤ光源２２Ａの調光比が１００％であり、かつ、ＬＥＤ光源２２Ｂの調光比が１００％である状態（調色比＝１００：１００）を示す。すなわち、Ｐ１の状態からＬＥＤ光源２２Ａの調光比のみを増加させると、調色比はＰ１からＰ３になる。また、Ｐ３の状態からＬＥＤ光源２２Ｂの調光比のみを減少させると、調色比はＰ３からＰ２になる。
【００７６】
Ｐ３では、ＬＥＤ光源２２Ａ，２２Ｂの調光比のそれぞれが１００％であるから、ＬＥＤユニット２から放射される光は中間色の光となる。また、光源ユニット２の全光束はＰ３において最大になる（図７における点ｄ参照）。
【００７７】
すなわち、図７において二等辺三角形の相等しい２辺が交わる頂点の位置（図７中のｄ点）は、ＬＥＤ光源２２Ａの調光比とＬＥＤ光源２２Ｂの調光比がともに１００％（調光範囲の上限値）に設定された調光・調色状態に対応しており、以下ではこの状態を「全灯状態」と呼ぶ。なお、全灯状態における照明光の光色は中間色（昼白色と電球色との間の色）となる。
【００７８】
また、上記二等辺三角形の他の２つの頂点のうち左側の頂点の位置（図７中のｂ点）は、ＬＥＤ光源２２Ｂの調光比が１００％、ＬＥＤ光源２２Ａの調光比が調光下限（又は消灯）に設定された調光・調色状態に対応しており、以下ではこの状態を「第１の状態（昼白色に相当する色の光を放射するＬＥＤ光源２２Ｂのみを全点灯させた状態）」と呼ぶ。
【００７９】
一方、右側の頂点の位置（図７中のｃ点）は、ＬＥＤ光源２２Ａの調光比が１００％、ＬＥＤ光源２２Ｂの調光比が調光下限（又は消灯）に設定された調光・調色状態に対応しており、以下ではこの状態を「第２の状態（電球色に相当する色の光を放射するＬＥＤ光源２２Ａのみを全点灯させた状態）」と呼ぶ。
【００８０】
而して、図７における二等辺三角形の部分は、全調光比が１００％以上となる範囲でＬＥＤ光源２２Ａ，２２Ｂの調光比が任意の値に設定された調光・調色状態に対応している。また、図７における長方形の部分は、全調光比が１００％未満となる範囲でＬＥＤ光源２２Ａ，２２Ｂの調光比が任意の値に設定された調光・調色状態に対応している。そして、上記二等辺三角形と上記長方形とを組み合わせた図形（五角形）の内部（各辺を含む。）の任意の位置が照明光の調光・調色状態に対応している。
【００８１】
リモコン受信部６５は、リモートコントローラ（以下、リモコンと略す。）９から送信される赤外線信号を受信（受光）するものであって、受信した赤外線信号から復調した後述の制御コードを制御部６３に出力する。
【００８２】
そして、制御部６３は、制御コードに対応した全調光比及び調色比となるように、点灯回路部６１，６２を各別に制御して各ＬＥＤ光源２２Ａ，２２Ｂの調光比を調整する。但し、赤外線信号の代わりに、電波を媒体とする無線信号や信号線を介した電気信号がリモコン９から送信されても構わない。
【００８３】
リモコン９は、図８に示すように制御部９１と、操作入力部９２と、発光素子９３と、駆動回路９４と、液晶表示部９５と、電源部９６とを備える。
【００８４】
発光素子９３は赤外線信号を送信するための光源、例えば赤外線発光ダイオードであり、駆動回路９４から駆動電流が供給されることで赤外線（赤外線信号）を放射（送信）する。
【００８５】
操作入力部９２は、後述する複数種類の押釦が押操作されることで各別にオンする複数個の押釦スイッチ（図示せず）を有し、各押釦スイッチがオンされた場合にそれぞれの押釦スイッチに対応した操作入力を受け付けて制御部９１に操作信号を出力する。
【００８６】
制御部９１は、操作入力部９２から受け取る操作信号に対応した制御コードを生成して駆動回路９４に出力したり、上記操作信号や上記制御コードに対応した文字などを液晶表示部９５に表示させる。
【００８７】
なお、制御コードは駆動回路９４において変調され、赤外線信号として発光素子９３より送信される。
【００８８】
また、電源部９６は電池を電源とした各部９１〜９５に動作電源を供給する。
【００８９】
図９はリモコン９の外観図（正面図）である。リモコン９は、扁平な矩形箱状の合成樹脂成型品からなるケース１００の内部に、上述した各部９１〜９６が収納されている。ケース１００の前面上部に液晶表示部９５の表示面が露出し、この表示面より下側に操作入力部９２が有する複数個の押釦スイッチを押操作するための複数個（本実施形態では１３個）の押釦１０１〜１１３が配置されている。
【００９０】
例えば、ケース１００の前面中央に配置された２つの押釦１０８，１０９のうち、上側の押釦１０８が押操作されると全調光比を上昇させるための制御コード（調光指令＜調光アップ指令＞）が生成される。一方、下側の押釦１０９が押操作されると全調光比を下降させるための制御コード（調光指令＜調光ダウン指令＞）が生成される。また、押釦１０８，１０９の押操作が終了すると、全調光比の上昇及び下降を停止させるための制御コード（調光指令＜調光停止指令＞）が生成される。そして、制御部６３は、調光アップ指令又は調光ダウン指令を受け取ってから調光停止指令を受け取るまでの間、調色比を変えずに全調光比のみを継続して上昇又は下降させるように点灯回路部６１，６２を制御してＬＥＤ光源２２Ａ，２２Ｂの調光比を調節する。
【００９１】
また、ケース１００の前面下部において左右に並べて配置された２つの押釦１１０，１１１のうち、左側の押釦１１０が押操作されると調色比を下げる（色温度を上げる）ための制御コード（調色指令＜調色ダウン指令＞）が生成される。一方、右側の押釦１１１が押操作されると調色比を上げる（色温度を下げる）ための制御コード（調色指令＜調色アップ指令＞）が生成される。また、押釦１１０，１１１の押操作が終了すると、調色比の上昇及び下降を停止させるための制御コード（調色指令＜調色停止指令＞）が生成される。そして、制御部６３は、調色アップ指令又は調色ダウン指令を受け取ってから調色停止指令を受け取るまでの間、全調光比を変えずに調色比のみを継続して上昇又は下降させるように点灯回路部６１，６２を制御してＬＥＤ光源２２Ａ，２２Ｂの調光比を調節する。
【００９２】
また、２つの押釦１０８，１０９を囲むように円周上に並べて配置された４つの押釦１０４〜１０７のうち、上側の押釦１０４が押操作されると調光・調色状態を「全灯状態」に切り替えるための制御コードが生成される。また、左側の押釦１０５が押操作されると調光・調色状態を「第１の状態」に切り替えるための制御コードが生成され、右側の押釦１０６が押操作されると調光・調色状態を「第２の状態」に切り替えるための制御コードが生成される。さらに、下側の押釦１０７が押操作されると、利用者が制御部６３のメモリに記憶させた調光・調色状態に切り替えるための制御コードが生成される。つまり本実施形態では、左側の押釦１０５が押操作されることでＬＥＤ光源２２Ｂを全点灯させる全点灯指令が出力され、また右側の押釦１０６が押操作されることでＬＥＤ光源２２Ａを全点灯させる全点灯指令が出力されるのである。
【００９３】
また、ケース１００前面の液晶表示部９５の直下に左右方向に並べて配置された３つの押釦１０１〜１０３のうち、中央の押釦１０２が押操作されると調光・調色状態（全調光比及び調色比）を制御部６３のメモリに記憶させるための制御コードが生成される。そして、上記制御コードを受け取った制御部６３は、その時点の全調光比及び調色比をメモリに記憶し、押釦１０７が押操作されて生成される制御コードを受け取ったときに、メモリに記憶させた調光・調色状態に切り替える。また、左側の押釦１０１が押操作されると、外光を利用した自動調光又は自動消灯を行うための制御コードが生成される。なお、ケース１００前面の最下部に配置された押釦１１２が押操作されると、全てのＬＥＤ光源２２Ａ，２２Ｂを消灯させるための制御コードが生成される。
【００９４】
図１は点灯制御部６とＬＥＤユニット２の接続例であり、本実施形態では４つのＬＥＤユニット２が点灯制御部６に接続される。なお以下の説明では、４つのＬＥＤユニット２を区別するためにＬＥＤユニット２Ａ〜２Ｄと表記して説明を行う。
【００９５】
点灯回路部６０（６１，６２）は、正極側（高電位側）の出力端子（図１中に「Ａ」で示す）と、負極側（低電位側）の出力端子（図１中に「Ｋ」で示す）と、を備える。
【００９６】
各点灯回路部６１，６２の正極側の出力端子は、コネクタ６６に接続される。各点灯回路部６１，６２の負極側の出力端子は、コネクタ６７に接続される。
【００９７】
コネクタ６６は、ＬＥＤユニット２（２Ａ）のアノード側のコネクタ２３（２３Ａ）に接続される。これによって、点灯回路部６１，６２の正極側の出力端子が、コネクタ６６を介して、コネクタ２３Ａの４番ピンｐｉｎ４および１番ピンｐｉｎ１に、それぞれ接続される。
【００９８】
コネクタ６７は、ＬＥＤユニット２（２Ｄ）のカソード側のコネクタ２４（２４Ｄ）に接続される。これによって、点灯回路部６１，６２の負極側の出力端子が、コネクタ６７を介して、コネクタ２４Ｄの１番ピンｐｉｎ１および３番ピンｐｉｎ３に、それぞれ接続される。
【００９９】
ＬＥＤユニット２Ａは、ハーネス８（８Ａ）を介してＬＥＤユニット２Ｂに接続される。すなわち、ＬＥＤユニット２Ａのカソード側のコネクタ２４（２４Ａ）はハーネス８Ａの第１のコネクタ８１Ａに接続され、ＬＥＤユニット２Ｂのアノード側のコネクタ２３（２３Ｂ）はハーネス８Ａの第２のコネクタ８２Ａに接続される。これによって、ＬＥＤユニット２Ａのコネクタ２４Ａの１番ピンｐｉｎ１および３番ピンｐｉｎ３が、ＬＥＤユニット２Ｂのコネクタ２３Ｂの４番ピンｐｉｎ４および１番ピンｐｉｎ１に、それぞれ、ハーネス８Ａを介して電気的に接続される。
【０１００】
ＬＥＤユニット２Ｂは、ハーネス８（８Ｂ）を介してＬＥＤユニット２Ｃに接続される。すなわち、ＬＥＤユニット２Ｂのカソード側のコネクタ２４（２４Ｂ）はハーネス８Ｂの第１のコネクタ８１Ｂに接続され、ＬＥＤユニット２Ｃのアノード側のコネクタ２３（２３Ｃ）はハーネス８Ｂの第２のコネクタ８２Ｂに接続される。これによって、ＬＥＤユニット２Ｂのコネクタ２４Ｂの１番ピンｐｉｎ１および３番ピンｐｉｎ３が、ＬＥＤユニット２Ｃのコネクタ２３Ｃの４番ピンｐｉｎ４および１番ピンｐｉｎ１に、それぞれ、ハーネス８Ｂを介して電気的に接続される。
【０１０１】
ＬＥＤユニット２Ｃは、ハーネス８（８Ｃ）を介してＬＥＤユニット２Ｄに接続される。すなわち、ＬＥＤユニット２Ｃのカソード側のコネクタ２４（２４Ｃ）はハーネス８Ｃの第１のコネクタ８１Ｃに接続され、ＬＥＤユニット２Ｄのアノード側のコネクタ２３（２３Ｄ）はハーネス８Ｃの第２のコネクタ８２Ｃに接続される。これによって、ＬＥＤユニット２Ｃのコネクタ２４Ｃの１番ピンｐｉｎ１および３番ピンｐｉｎ３が、ＬＥＤユニット２Ｄのコネクタ２３Ｄの４番ピンｐｉｎ４および１番ピンｐｉｎ１に、それぞれ、ハーネス８Ｃを介して電気的に接続される。
【０１０２】
このように、点灯回路部６１の出力端子間には、ＬＥＤユニット２ＡのＬＥＤ光源２２Ｂと、ＬＥＤユニット２ＢのＬＥＤ光源２２Ｂと、ＬＥＤユニット２ＣのＬＥＤ光源２２Ｂと、ＬＥＤユニット２ＤのＬＥＤ光源２２Ｂとが、直列に接続される。本実施形態の場合、点灯回路部６１の出力端子間には、９６個のＬＥＤ２２２が接続される。
【０１０３】
また、点灯回路部６２の出力端子間には、ＬＥＤユニット２ＡのＬＥＤ光源２２Ａと、ＬＥＤユニット２ＢのＬＥＤ光源２２Ａと、ＬＥＤユニット２ＣのＬＥＤ光源２２Ａと、ＬＥＤユニット２ＤのＬＥＤ光源２２Ａとが、直列に接続される。本実施形態の場合、点灯回路部６２の出力端子間には、９６個のＬＥＤ２２１が接続される。
【０１０４】
このように、本実施形態の照明装置では、点灯制御部６の点灯回路部６１の正極側の出力端子が４番ピンｐｉｎ４に接続されるとともに、点灯回路部６２の正極側の出力端子が１番ピンｐｉｎ１に接続されたコネクタ６６は、ＬＥＤユニット２Ａのコネクタ２３に接続される。また、点灯制御部６の点灯回路部６１の負極側の出力端子が１番ピンｐｉｎ１に接続されるとともに、点灯回路部６２の負極側の出力端子が３番ピンｐｉｎ３に接続されたコネクタ６７は、ＬＥＤユニット２Ｄのコネクタ２４に接続される。
【０１０５】
また、ＬＥＤユニット２Ａのコネクタ２４（２４Ａ）とＬＥＤユニット２Ｂのコネクタ２３（２３Ｂ）の間、ＬＥＤユニット２Ｂのコネクタ２４（２４Ｂ）とＬＥＤユニット２Ｃのコネクタ２３（２３Ｃ）の間、及び、ＬＥＤユニット２Ｃのコネクタ２４（２４Ｃ）とＬＥＤユニット２Ｄのコネクタ２３（２３Ｄ）の間は、それぞれ、３ピンのコネクタ８１及び４ピンのコネクタ８２で構成されたハーネス８（８Ａ，８Ｂ，８Ｃ）を介して接続される。
【０１０６】
図６はＬＥＤ光源２２（２２Ａ，２２Ｂ）のＬＥＤ２２０（２２１，２２２）の順電流と相対光束との関係を示すグラフである。
【０１０７】
昼白色に相当する色の光を放射するＬＥＤ光源２２ＢのＬＥＤ２２２に順電流７５ｍＡを流したときの光束定格は５０ｌｍであるため、ＬＥＤ２２２の光束ｙ２［ｌｍ］と順電流ｘ２［ｍＡ］の関係式は、図６より（１）式のように求められる。
【０１０８】
【数１】
2013061749.tif 000003
【０１０９】
また、電球色に相当する色の光を放射するＬＥＤ光源２２ＡのＬＥＤ２２１に順電流７５ｍＡを流したときの光束定格は４６ｌｍであるため、同様にＬＥＤ２２１の光束ｙ１［ｌｍ］と順電流ｘ１［ｍＡ］の関係式は（２）式のように求められる。
【０１１０】
【数２】
2013061749.tif 000004
【０１１１】
本実施形態の照明装置では、第２供給電流は、ＬＥＤ２２２の光束が定格光束（約５０ｌｍ）となる電流（定格電流）である。ＬＥＤ光源２２Ｂでは、６個のＬＥＤ２２２の直列回路が４つ並列に接続されている。したがって、４つの直列回路それぞれに７５ｍＡの順電流が流れるように、第２供給電流は３００ｍＡに設定される。
【０１１２】
各ＬＥＤユニット２は、２４個のＬＥＤ２２２で構成されたＬＥＤ光源２２Ｂを備える。したがって、第２点灯処理におけるＬＥＤユニット２の光束（第２光束）は、約１２００ｌｍである。よって、４つのＬＥＤユニット２の光束（第２光束）の合計は、約４８００ｌｍである。
【０１１３】
第１供給電流は、第１点灯処理におけるＬＥＤユニット２の光束（第１光束）が第２点灯処理におけるＬＥＤユニット２の第２光束（約１２００ｌｍ）に等しくなるように、選択される。
【０１１４】
ＬＥＤ光源２２ＡのＬＥＤ２２１の数は、ＬＥＤ光源２２ＢのＬＥＤ２２２の数と同じく、２４である。したがって、第１供給電流は、ＬＥＤ２２１の光束が約５０ｌｍとなるように選択される。上式（２）によれば、順電流ｘ１が約８２．７ｍＡである場合に、ＬＥＤ２２１の光束ｙ１は約５０ｌｍとなる。ＬＥＤ光源２２Ａでは、６個のＬＥＤ２２１の直列回路が４つ並列に接続されている。したがって、４つの直列回路それぞれに約８２．７ｍＡの順電流が流れるように、第１供給電流は約３３０．８ｍＡに設定される。
【０１１５】
各ＬＥＤユニット２は、２４個のＬＥＤ２２１で構成されたＬＥＤ光源２２Ａを備える。したがって、第１点灯処理におけるＬＥＤユニット２の光束（第１光束）は、約１２００ｌｍである。よって、４つのＬＥＤユニット２の光束（第１光束）の合計は、約４８００ｌｍである。
【０１１６】
すなわち、点灯制御部６は、第１点灯処理では約３３０．８ｍＡの第１供給電流を４つのＬＥＤユニット２の直列回路に供給する。これによって、各ＬＥＤユニット２の光束（第１光束）が約１２００ｌｍとなり、４つのＬＥＤユニット２の合計の光束は約４８００ｌｍとなる。また、点灯制御部６は、第２点灯処理では約３００ｍＡの第２供給電流を４つのＬＥＤユニット２の直列回路に供給する。これによって、各ＬＥＤユニット２の光束（第２光束）が約１２００ｌｍとなり、４つのＬＥＤユニット２の合計の光束は約４８００ｌｍとなる。
【０１１７】
このように、点灯制御部６は、第１光束が第２光束に等しくなるように、第１供給電流の大きさを第２供給電流と異ならせる。特に、本実施形態の照明装置では、第１色温度は、第２色温度より低い。この場合に、点灯制御部６は、第１光束が第２光束に等しくなるように、第２供給電流の大きさを第１供給電流よりも小さくする。また、第２供給電流の大きさは、第２発光素子（ＬＥＤ）２２２の光束が定格光束となるように決定される。
【０１１８】
次に、本実施形態の照明装置の動作について説明する。
【０１１９】
リモコン９の押釦１０５が押操作されると、調光・調色状態を「第１の状態」に切り替えるための制御コード（ＬＥＤ光源２２Ｂに対する全点灯指令）が制御部６３に入力され、制御部６３は点灯回路部６１，６２を制御してＬＥＤ光源２２Ａ，２２Ｂの調光比を調整する。すなわち、点灯制御部６は、第２点灯処理を実行する。
【０１２０】
具体的に説明すると、制御部６３は、４つのＬＥＤ光源２２Ｂを点灯させるために点灯回路部６１から出力させる電流（第２供給電流）を３００ｍＡに設定し、このとき上記各直列回路にはそれぞれ７５ｍＡ（１００％）の電流が流れる。
【０１２１】
したがって、（１）式より、各ＬＥＤ光源２２ＢのＬＥＤ２２２の光束は１個あたり約５０ｌｍとなる。そして、ＬＥＤ２２２を各々２４個備えたＬＥＤユニット２Ａ〜２Ｄの全光束は、各ＬＥＤ２２２の出力が光束定格となるように各ＬＥＤ２２２に流れる電流を制御することで約４８００ｌｍ（図７中のｂ点）となる。
【０１２２】
一方、リモコン９の押釦１０６が押操作されると、調光・調色状態を「第２の状態」に切り替えるための制御コード（ＬＥＤ光源２２Ａに対する全点灯指令）が制御部６３に入力され、制御部６３は点灯回路部６１，６２を制御してＬＥＤ光源２２Ａ，２２Ｂの調光比を調整する。すなわち、点灯制御部６は、第１点灯処理を実行する。
【０１２３】
具体的に説明すると、制御部６３は、４つのＬＥＤ光源２２Ａを点灯させるために点灯回路部６２から出力させる電流（第１供給電流）を３３０．８ｍＡに設定し、このとき上記各直列回路にはそれぞれ８２．７ｍＡ（１１０．３％）の電流が流れる。
【０１２４】
したがって、（２）式より、各ＬＥＤ光源２２ＡのＬＥＤ２２１の光束は１個あたり約５０ｌｍとなる。そして、ＬＥＤ２２１を各々２４個備えたＬＥＤユニット２Ａ〜２Ｄの全光束は、各ＬＥＤ２２１の出力が光束定格以上（１１０．３％）となるように各ＬＥＤ２２１に流れる電流を制御することで約４８００ｌｍ（図７中のｃ点）となる。
【０１２５】
以上述べたように、本実施形態の照明装置は、色温度の異なる光を放射する複数種類のＬＥＤ光源２２（２２Ａ，２２Ｂ）と、複数種類のＬＥＤ光源２２（２２Ａ，２２Ｂ）を各別に点灯制御することにより光色を調節する点灯制御部６とを備える。複数種類のＬＥＤ光源２２Ａ，２２Ｂにそれぞれ同じ大きさの電流を流した場合、相対的に色温度の高いＬＥＤ光源２２Ｂの光束が相対的に色温度の低いＬＥＤ光源２２Ａの光束よりも大きくなる関係にある。点灯制御部６は、外部からの全点灯指令に応じて何れかのＬＥＤ光源２２を全点灯させる状態において、出力光束が略等しくなるように、相対的に色温度の高いＬＥＤ光源２２Ｂへの供給電流を相対的に色温度の低いＬＥＤ光源２２Ａへの供給電流よりも低く設定する。
【０１２６】
換言すれば、本実施形態の照明装置は、色温度が異なる複数の発光素子（ＬＥＤ）２２０（２２１，２２２）を有する光源ユニット（ＬＥＤユニット）２と、光源ユニット２を制御する点灯制御部６と、を備える。点灯制御部６は、複数の発光素子（ＬＥＤ）２２０のうちの第１発光素子群（ＬＥＤ光源）２２Ａに第１供給電流を供給して光源ユニット２から第１色温度の光を放射させる第１点灯処理と、複数の発光素子（ＬＥＤ）２２０のうちの第２発光素子群（ＬＥＤ光源）２２Ｂに第２供給電流を供給して光源ユニット２から第１色温度とは異なる第２色温度の光を放射させる第２点灯処理と、を実行するように構成される。点灯制御部６は、第１点灯処理における光源ユニット２の第１光束が第２点灯処理における光源ユニット２の第２光束に等しくなるように、第１供給電流と第２供給電流とのそれぞれの大きさを調整するように構成される。
【０１２７】
また、本実施形態の照明装置では、点灯制御部６は、第１光束が第２光束に等しくなるように、第１供給電流の大きさを第２供給電流と異ならせるように構成される。
【０１２８】
また、本実施形態の照明装置では、第１色温度は、第２色温度より低い。点灯制御部６は、第１光束が第２光束に等しくなるように、第２供給電流の大きさを第１供給電流よりも小さくするように構成される。
【０１２９】
また、本実施形態の照明装置では、第１発光素子群（ＬＥＤ光源）２２Ａに含まれる発光素子（ＬＥＤ）２２１の数と第２発光素子群（ＬＥＤ光源）２２Ｂに含まれる発光素子（ＬＥＤ）２２２の数とは、第１供給電流の大きさが第２供給電流と同じ大きさである場合に第１光束が第２光束よりも少なくなるように、決定される。
【０１３０】
また、本実施形態の照明装置では、第１発光素子群（ＬＥＤ光源）２２Ａに含まれる発光素子（ＬＥＤ）２２１の数は、第２発光素子群（ＬＥＤ光源）２２Ｂに含まれる発光素子（ＬＥＤ）２２２の数に等しい。
【０１３１】
また、本実施形態の照明装置では、第１色温度は、第２色温度より低い。第２発光素子群（ＬＥＤ光源）２２Ｂは、第２色温度の光の主成分となる光を放射する第２発光素子（ＬＥＤ）２２２を含む。第２供給電流の大きさは、第２発光素子（ＬＥＤ）２２２の光束が定格光束となるように決定される。
【０１３２】
つまり、上述のように制御することで、第１の状態にした場合の全光束（第２光束）と第２の状態にした場合の全光束（第１光束）を略等しくすることができ、その結果、第１の状態から第２の状態に調色する際、及び、第２の状態から第１の状態に調色する際に利用者に違和感を感じさせない照明装置を提供することができる。
【０１３３】
したがって、以上述べた本実施形態の照明装置によれば、発光色の切り替えに起因する光束の変化を低減できる。すなわち、発光色が異なる複数種類のＬＥＤ光源２２間での光束の変化を低減させた照明装置及びそれを用いた照明器具を提供することができるという効果がある。
【０１３４】
このように、本実施形態の照明装置では、第１光束が第２光束と一致するように、ＬＥＤ光源２２に流す出力電流（供給電流）を調整する。そのため、各ＬＥＤ光源２２のＬＥＤ２２０の数を同一にすることができる。そのため、ＬＥＤ２２０の配置間隔を一定にできて、ＬＥＤユニット２の光ムラをより抑えることができる。
【０１３５】
また本実施形態では、第１の状態又は第２の状態に切り替える際には押釦１０５又は１０６を押すだけでよく、簡単操作で切り替えることができる。
【０１３６】
なお、本実施形態の照明装置において、点灯制御部６は、全点灯指令に対応するＬＥＤ光源２２を全点灯させ、且つ、残りのＬＥＤ光源２２を消灯又は所定の最小光束で点灯させた際の合成光束が略等しくなるように、各ＬＥＤ光源２２への供給電流を制御してもよい。
【０１３７】
ここに、ＬＥＤユニット２のＬＥＤ光源２２Ａ，２２Ｂからの光が照射される照射面（例えば床面）の照度を検出する照度検出部（図示せず）を設け、照度検出部による検出照度が略一定となるように各ＬＥＤ光源２２Ａ，２２Ｂへの供給電流を制御してもよい。
【０１３８】
照度検出部（センサ部）は、例えば、照明器具の器具本体の外周部に配置される。照度検出部は、例えば、照度検出部から下方約２．４ｍの床面約φ３ｍ範囲の照度を検出するように構成される。
【０１３９】
リモコン９の押釦１０１が押操作されると、外光を利用した自動調光又は自動消灯を行うための制御コード（自動制御コード）が生成される。点灯制御部６は、リモコン９から自動制御コードを受け取ると、照度検出部で測定された照度が所定値となるように、第１供給電流および第２供給電流の大きさを調整する。
【０１４０】
すなわち、本実施形態の照明装置は、各ＬＥＤ光源２２からの光が照射される照射面の照度を検出する照度検出部（図示せず）を備えてもよい。この場合、点灯制御部６は、照度検出部による検出照度が略一定となるように各ＬＥＤ光源２２への供給電流を制御する。
【０１４１】
換言すれば、本実施形態の照明装置は、所定の場所の照度を測定する照度検出部（図示せず）を備えていてもよい。点灯制御部６は、照度検出部で測定された照度が所定値となるように、第１供給電流および第２供給電流の大きさを調整するように構成される。所定値は、例えば、第２発光素子（ＬＥＤ）２２２の光束が定格光束であるときの所定の場所の照度である。また、所定値は、第１発光素子（ＬＥＤ）２２１の光束が定格光束であるときの所定の場所の照度であってもよい。すなわち、所定値は、所望の照度に応じて適切に選択される。
【０１４２】
この照明装置によれば、上記照射面（所定の場所）の照度を略一定に保つことができる。特に、ＬＥＤユニット２からの光の色を昼白色から電球色に変化させても照明装置（照明器具）の照射面の照度が略一定（所定値）に保たれる。そのため、ＬＥＤユニット２の点灯制御が容易になる。したがって、ＬＥＤユニット２の色温度の切替に左右されることなく、所望の照射面における照度を略一定に保つことができる。
【０１４３】
（実施形態２）
以下に本実施形態の照明装置について説明する。
【０１４４】
実施形態１の照明装置では、全点灯指令が出力された際に、昼白色に相当する色の光を放射するＬＥＤ光源２２Ｂの出力（ＬＥＤ２２２の光束）を光束定格とし、電球色に相当する色の光を放射するＬＥＤ光源２２Ａの出力（ＬＥＤ２２１の光束）を光束定格以上とすることで、両ＬＥＤ光源２２Ａ，２２Ｂ間の光束の変化を低減させているが、本実施形態の照明装置では、電球色に相当する色の光を放射するＬＥＤ光源２２Ａの出力（ＬＥＤ２２１の光束）を光束定格とし、昼白色に相当する色の光を放射するＬＥＤ光源２２Ｂの出力（ＬＥＤ２２２の光束）を光束定格以下とすることで、両ＬＥＤ光源２２Ａ，２２Ｂ間の光束の変化を低減させている。なお、それ以外の構成は実施形態１と同様であり、同一の構成要素には同一の符号を付して説明を省略する。
【０１４５】
本実施形態の照明装置は、ＬＥＤユニット２と、ＬＥＤユニット２のＬＥＤ光源２２（２２Ａ，２２Ｂ）を各別に点灯制御する点灯制御部６とを備える。
【０１４６】
本実施形態の照明装置では、第１供給電流は、ＬＥＤ２２１の光束が定格光束（約４６ｌｍ）となる電流（定格電流）である。ＬＥＤ光源２２Ａでは、６個のＬＥＤ２２１の直列回路が４つ並列に接続されている。したがって、４つの直列回路それぞれに７５ｍＡの順電流が流れるように、第１供給電流は３００ｍＡに設定される。
【０１４７】
各ＬＥＤユニット２は、２４個のＬＥＤ２２１で構成されたＬＥＤ光源２２Ａを備える。したがって、第１点灯処理におけるＬＥＤユニット２の光束（第１光束）は、約１１０５ｌｍである。よって、４つのＬＥＤユニット２の光束（第１光束）の合計は、約４４２０ｌｍである。
【０１４８】
第２供給電流は、第２点灯処理におけるＬＥＤユニット２の光束（第２光束）が第１点灯処理におけるＬＥＤユニット２の第１光束（約１１０５ｌｍ）に等しくなるように、選択される。
【０１４９】
ＬＥＤ光源２２ＢのＬＥＤ２２２の数は、ＬＥＤ光源２２ＡのＬＥＤ２２１の数と同じく、２４である。したがって、第２供給電流は、ＬＥＤ２２２の光束が約４６ｌｍとなるように選択される。上式（１）によれば、順電流ｘ２が約６７．９ｍＡである場合に、ＬＥＤ２２２の光束ｙ２は約４６ｌｍとなる。ＬＥＤ光源２２Ｂでは、６個のＬＥＤ２２２の直列回路が４つ並列に接続されている。したがって、４つの直列回路それぞれに約６７．９ｍＡの順電流が流れるように、第２供給電流は２７１．６ｍＡに設定される。
【０１５０】
各ＬＥＤユニット２は、２４個のＬＥＤ２２２で構成されたＬＥＤ光源２２Ｂを備える。したがって、第２点灯処理におけるＬＥＤユニット２の光束（第２光束）は、約１１０５ｌｍである。よって、４つのＬＥＤユニット２の光束（第２光束）の合計は、約４４２０ｌｍである。
【０１５１】
すなわち、点灯制御部６は、第１点灯処理では約３００ｍＡの第１供給電流を４つのＬＥＤユニット２の直列回路に供給する。これによって、各ＬＥＤユニット２の光束（第１光束）が約１１０５ｌｍとなり、４つのＬＥＤユニット２の合計の光束は約４４２０ｌｍとなる。また、点灯制御部６は、第２点灯処理では２７１．６ｍＡの第２供給電流を４つのＬＥＤユニット２の直列回路に供給する。これによって、各ＬＥＤユニット２の光束（第２光束）が約１１０５ｌｍとなり、４つのＬＥＤユニット２の合計の光束は約４４２０ｌｍとなる。
【０１５２】
このように、点灯制御部６は、第１光束が第２光束に等しくなるように、第１供給電流の大きさを第２供給電流と異ならせる。特に、本実施形態の照明装置では、第１色温度は、第２色温度より低い。この場合に、点灯制御部６は、第１光束が第２光束に等しくなるように、第２供給電流の大きさを第１供給電流よりも小さくする。また、第１供給電流の大きさは、第１発光素子（ＬＥＤ）２２１の光束が定格光束となるように決定される。
【０１５３】
次に、本実施形態の照明装置の動作について説明する。
【０１５４】
リモコン９の押釦１０５が押操作されると、調光・調色状態を「第１の状態」に切り替えるための制御コード（ＬＥＤ光源２２Ｂに対する全点灯指令）が制御部６３に入力され、制御部６３は点灯回路部６１，６２を制御してＬＥＤ光源２２Ａ，２２Ｂの調光比を調整する。すなわち、点灯制御部６は、第２点灯処理を実行する。
【０１５５】
具体的に説明すると、制御部６３は、４つのＬＥＤ光源２２Ｂを点灯させるために点灯回路部６１から出力させる電流（第２供給電流）を２７１．６ｍＡに設定し、このとき上記各直列回路には６７．９ｍＡ（９０．５％）の電流が流れる。
【０１５６】
したがって、（１）式より、各ＬＥＤ光源２２ＢのＬＥＤ２２２の光束は１個あたり約４６ｌｍとなる。そして、ＬＥＤ２２２を各々２４個備えたＬＥＤユニット２Ａ〜２Ｄの全光束は、各ＬＥＤ２２２の出力が光束定格以下（９０．５％）となるように各ＬＥＤ２２２に流れる電流を制御することで約４４２０ｌｍとなる。
【０１５７】
一方、リモコン９の押釦１０６が押操作されると、調光・調色状態を「第２の状態」に切り替えるための制御コード（ＬＥＤ光源２２Ａに対する全点灯指令）が制御部６３に入力され、制御部６３は点灯回路部６１，６２を制御してＬＥＤ光源２２Ａ，２２Ｂの調光比を調整する。すなわち、点灯制御部６は、第１点灯処理を実行する。
【０１５８】
具体的に説明すると、制御部６３は、４つのＬＥＤ光源２２Ａを点灯させるために点灯回路部６２から出力させる電流（第１供給電流）を３００ｍＡに設定し、このとき上記各直列回路には７５ｍＡ（１００％）の電流が流れる。
【０１５９】
したがって、（２）式より、各ＬＥＤ光源２２ＡのＬＥＤ２２１の光束は１個あたり約４６ｌｍとなる。そして、ＬＥＤ２２１を各々２４個備えたＬＥＤユニット２Ａ〜２Ｄの全光束は、各ＬＥＤ２２１の出力が光束定格となるように各ＬＥＤ２２１に流れる電流を制御することで約４４２０ｌｍとなる。
【０１６０】
つまり、上述のように制御することで、第１の状態にした場合の全光束（第２光束）と第２の状態にした場合の全光束（第１光束）を略等しくすることができ、その結果、第１の状態から第２の状態に調色する際、及び、第２の状態から第１の状態に調色する際に利用者に違和感を感じさせない照明装置を提供することができる。
【０１６１】
特に、本実施形態の照明装置では、第１色温度は、第２色温度より低い。第１発光素子群（ＬＥＤ光源）２２Ａは、第１色温度の光の主成分となる光を放射する第１発光素子（ＬＥＤ）２２１を含む。第１供給電流の大きさは、第１発光素子（ＬＥＤ）２２１の光束が定格光束となるように決定される。
【０１６２】
したがって、本実施形態の照明装置によれば、第２発光素子群（ＬＥＤ光源）２２Ｂの第２発光素子（ＬＥＤ）２２２の出力（光束）を定格光束以下に抑えることで、ＬＥＤ光源２２ＢのＬＥＤ２２２の温度上昇を抑えることができ、温度上昇に伴う効率低下を抑えることができる。
【０１６３】
（実施形態３）
本実施形態の照明装置を図１０〜図１２に基づいて説明する。
【０１６４】
本実施形態の照明装置では、ＬＥＤユニット２のＬＥＤ光源２２（２２Ｃ，２２Ｄ）の構成及びその制御方法が実施形態１，２の照明装置と異なっている。なお、それ以外の構成は実施形態１，２の照明装置と同様であり、同一の構成要素には同一の符号を付して説明を省略する。
【０１６５】
本実施形態の照明装置は、ＬＥＤユニット２と、ＬＥＤユニット２のＬＥＤ光源２２（２２Ｃ，２２Ｄ）を各別に点灯制御する点灯制御部６とを備える。
【０１６６】
図１０は本実施形態におけるＬＥＤユニット２の回路図である。
【０１６７】
本実施形態において、複数の発光素子（ＬＥＤ）２２０は、互いに色温度が異なる２種類の発光素子（ＬＥＤ）２２３，２２４を含む。光源ユニット２は、図１０に示すように、１２個の発光素子（ＬＥＤ）２２３と、１２個の発光素子（ＬＥＤ）２２４と、を備える。
【０１６８】
発光素子（ＬＥＤ）２２３は、相対的に色温度の低い光（電球色に相当する色の光）を放射するように構成される。発光素子（ＬＥＤ）２２４は、相対的に色温度の高い光（電球色に相当する色の光）を放射するように構成される。
【０１６９】
本実施形態の光源ユニット２では、１２個の発光素子（ＬＥＤ）２２３の直列回路がＬＥＤ光源２２（２２Ｃ）を構成している。また、１２個の発光素子（ＬＥＤ）２２４の直列回路がＬＥＤ光源２２（２２Ｄ）を構成している。
【０１７０】
このように、ＬＥＤ光源２２Ｃは、演色性の高い（平均演色評価数Ｒａ９２）電球色に相当する色の光を放射するＬＥＤ２２３（例えば、ＮＣＳＬ１１９Ａ−Ｈ１：日亜化学工業株式会社製）を１２個直列接続した直列回路を有し、上記直列回路のアノード側はコネクタ２３の１番ピンｐｉｎ１に接続され、上記直列回路のカソード側はコネクタ２４の３番ピンｐｉｎ３に接続されている。
【０１７１】
またＬＥＤ光源２２Ｄは、演色性の低い（平均演色評価数Ｒａ８３）昼白色に相当する色の光を放射するＬＥＤ２２４（例えば、ＮＣＷ１１９Ａ−Ｈ３：日亜化学工業株式会社製）を１２個直列接続した直列回路を有し、上記直列回路のアノード側はコネクタ２３の４番ピンｐｉｎ４に接続され、上記直列回路のカソード側はコネクタ２４の１番ピンｐｉｎ１に接続されている。
【０１７２】
そして本実施形態においても、実施形態１と同様に、点灯制御部６に対して４つのＬＥＤユニット２Ａ〜２Ｄが接続される（例えば図１参照）。なお、接続方法については実施形態１と同様であり、ここでは説明を省略する。
【０１７３】
図１１はＬＥＤ光源２２（２２Ｃ，２２Ｄ）のＬＥＤ２２０（２２３，２２４）の順電流と相対光束との関係を示すグラフである。
【０１７４】
昼白色に相当する色の光を放射するＬＥＤ光源２２ＤのＬＥＤ２２４に順電流３５０ｍＡを流したときの光束定格は１１０ｌｍであるため、ＬＥＤ２２４の光束ｙ４［ｌｍ］と順電流ｘ４［ｍＡ］の関係式は、図１１より（３）式のように求められる。
【０１７５】
【数３】
2013061749.tif 000005
【０１７６】
また、電球色に相当する色の光を放射するＬＥＤ光源２２ＣのＬＥＤ２２３に順電流３５０ｍＡを流したときの光束定格は８０ｌｍであるため、同様にＬＥＤ２２３の光束ｙ３［ｌｍ］と順電流ｘ３［ｍＡ］の関係式は（４）式のように求められる。
【０１７７】
【数４】
2013061749.tif 000006
【０１７８】
第１点灯処理では、点灯制御部６は、複数の発光素子２２０のうちの第１発光素子群に第１供給電流を供給して、光源ユニット２から第１色温度の光（本実施形態では、電球色の光）を放射させる。第１発光素子群は、２つのＬＥＤ光源２２Ｃ，２２Ｄを含む。すなわち、第１発光素子群は、ＬＥＤ２２３で構成された発光素子回路（ＬＥＤ光源）２２Ｃと、ＬＥＤ２２４で構成された発光素子回路（ＬＥＤ光源）２２Ｄと、を含む。第１発光素子群においては、ＬＥＤ２２３が、第１色温度の光の主成分となる光を放射する第１発光素子となる。
【０１７９】
点灯制御部６は、第１点灯処理において、複数の発光素子２２０のうちの第１発光素子群に含まれる複数の発光素子回路（ＬＥＤ光源）２２Ｃ，２２Ｄにそれぞれ第１供給電流Ｉ１Ｃ，Ｉ１Ｄを供給して、光源ユニット２から第１色温度の光を放射させる。換言すれば、点灯制御部６は、第１点灯処理において、第１色温度の光の主成分となる光を放射する発光素子回路（ＬＥＤ光源）２２Ｃに第１供給電流（第１主供給電流）Ｉ１Ｃを供給し、補助的に使用される発光素子回路（ＬＥＤ光源）２２Ｄに第１供給電流（第１補助供給電流）Ｉ１Ｄを供給するように構成される。
【０１８０】
第２点灯処理では、点灯制御部６は、複数の発光素子２２０のうちの第２発光素子群に第２供給電流を供給して、光源ユニット２から第２色温度の光（本実施形態では、昼白色の光）を放射させる。第２発光素子群は、２つのＬＥＤ光源２２Ｃ，２２Ｄを含む。すなわち、第２発光素子群は、ＬＥＤ２２３で構成された発光素子回路（ＬＥＤ光源）２２Ｃと、ＬＥＤ２２４で構成された発光素子回路（ＬＥＤ光源）２２Ｄと、を含む。第２発光素子群においては、ＬＥＤ２２４が、第２色温度の光の主成分となる光を放射する第２発光素子となる。
【０１８１】
点灯制御部６は、第２点灯処理において、複数の発光素子２２０のうちの第２発光素子群に含まれる複数の発光素子回路（ＬＥＤ光源）２２Ｃ，２２Ｄにそれぞれ第２供給電流Ｉ２Ｃ，Ｉ２Ｄを供給して、光源ユニット２から第２色温度の光を放射させる。換言すれば、点灯制御部６は、第２点灯処理において、第２色温度の光の主成分となる光を放射する発光素子回路（ＬＥＤ光源）２２Ｄに第２供給電流（第２主供給電流）Ｉ２Ｄを供給し、補助的に使用される発光素子回路（ＬＥＤ光源）２２Ｃに第２供給電流（第２補助供給電流）Ｉ２Ｄを供給するように構成される。
【０１８２】
第２供給電流Ｉ２Ｄは、第２色温度の光の主成分となる光を放射する第２発光素子（ＬＥＤ）２２４に供給される電流である。第２供給電流Ｉ２Ｄの大きさは、ＬＥＤ２２４の光束が定格光束となるように決定される。ＬＥＤ光源２２Ｄは、１２個のＬＥＤ２２４の直列回路である。したがって、直列回路に約３５０ｍＡの順電流が流れるように、第２供給電流Ｉ２Ｄは約３５０ｍＡに設定される。
【０１８３】
第２供給電流Ｉ２Ｃは、第２点灯処理において補助的に使用される発光素子（ＬＥＤ）２２３に供給される電流である。例えば、第２供給電流Ｉ２Ｃの大きさは、ＬＥＤ２２３の光束が最小光束となるように決定される。ここで、ＬＥＤ２２３の最小光束は、調光比が下限値であるときのＬＥＤ２２３の光束である。例えば、ＬＥＤ２２３の最小光束は３０ｌｍであり、最小光束に対応する順電流は約１００ｍＡである。ＬＥＤ光源２２Ｃは、１２個のＬＥＤ２２３の直列回路である。したがって、直列回路に約１００ｍＡの順電流が流れるように、第２供給電流Ｉ２Ｃは約１００ｍＡに設定される。
【０１８４】
点灯制御部６は、第２点灯処理において、ＬＥＤ光源２２Ｃに約１００ｍＡの順電流を供給し、ＬＥＤ光源２２Ｄに約３５０ｍＡの順電流を供給する。第２点灯処理におけるＬＥＤ光源２２Ｃの光束は約３６０ｌｍであり、ＬＥＤ光源２２Ｄの光束は約１３２０ｌｍである。よって、第２点灯処理におけるＬＥＤユニット２の光束（第２光束）は、約１６８０ｌｍである。そのため、４つのＬＥＤユニット２の光束（第２光束）の合計は、約６７２０ｌｍである。
【０１８５】
第１供給電流Ｉ１Ｄは、第１点灯処理において補助的に使用される発光素子（ＬＥＤ）２２４に供給される電流である。例えば、第１供給電流Ｉ１Ｄの大きさは、ＬＥＤ２２４の光束が最小光束となるように決定される。ここで、ＬＥＤ２２４の最小光束は、調光比が下限値であるときのＬＥＤ２２４の光束である。例えば、ＬＥＤ２２４の最小光束は４０ｌｍであり、最小光束に対応する順電流は約９５ｍＡである。ＬＥＤ光源２２Ｄは、１２個のＬＥＤ２２４の直列回路である。したがって、直列回路に約９５ｍＡの順電流が流れるように、第１供給電流Ｉ１Ｄは９５ｍＡに設定される。そのため、第１点灯処理におけるＬＥＤ光源２２Ｄの光束は約４８０ｌｍである。
【０１８６】
第１供給電流Ｉ１Ｃは、第１色温度の光の主成分となる光を放射する第１発光素子（ＬＥＤ）２２３に供給される電流である。第１供給電流Ｉ１Ｃの大きさは、第１点灯処理におけるＬＥＤユニット２の光束（第１光束）が第２点灯処理におけるＬＥＤユニット２の第２光束（約１６８０ｌｍ）に等しくなるように、選択される。
【０１８７】
第１点灯処理におけるＬＥＤ光源２２Ｄの光束は約４８０ｌｍであるから、第１供給電流Ｉ１Ｃは、ＬＥＤ光源２２Ｃの光束が約１２００ｌｍになるように選択される。ＬＥＤ光源２２Ｃは１２個のＬＥＤ２２３を有するから、ＬＥＤ２２３の光束を約１００ｌｍとすればよい。上式（４）によれば、順電流ｘ３が約４５０ｍＡである場合に、ＬＥＤ２２３の光束ｙ３は約１００ｌｍとなる。ＬＥＤ光源２２Ｃは、１２個のＬＥＤ２２３の直列回路である。したがって、直列回路に約４５０ｍＡの順電流が流れるように、第１供給電流Ｉ１Ｃは４５０ｍＡに設定される。
【０１８８】
したがって、点灯制御部６は、第１点灯処理において、ＬＥＤ光源２２Ｃに約４５０ｍＡの順電流を供給し、ＬＥＤ光源２２Ｄに約９５ｍＡの順電流を供給する。この場合、第１点灯処理におけるＬＥＤ光源２２Ｃの光束は約１２００ｌｍであり、ＬＥＤ光源２２Ｄの光束は約４８０ｌｍである。よって、第１点灯処理におけるＬＥＤユニット２の光束（第２光束）は、約１６８０ｌｍである。そのため、４つのＬＥＤユニット２の光束（第２光束）の合計は、約６７２０ｌｍである。
【０１８９】
このように、点灯制御部６は、第１光束が第２光束に等しくなるように、第１供給電流Ｉ１Ｃ，Ｉ１Ｄおよび第２供給電流Ｉ２Ｃ，Ｉ２Ｄを調整する。
【０１９０】
図１２はＬＥＤ光源２２Ｃ，２２Ｄの全光束と調色比の関係を模式的に表した図である。
【０１９１】
図１２におけるＰ１は、ＬＥＤ光源２２Ｃの調光比が下限値（例えば順電流ｘ３が１００ｍＡになるときの調光比）であり、ＬＥＤ光源２２Ｄの調光比が１００％である状態を示す。Ｐ１は、点灯制御部６が第２点灯処理を実行した状態に対応する。すなわち、Ｐ１では、ＬＥＤユニット２は、昼白色の光を放射する。また、４つのＬＥＤユニット２の光束（第２光束）の合計は、約６７２０ｌｍである（図１２における点ｅ参照）。
【０１９２】
図１２におけるＰ２は、ＬＥＤ光源２２Ｃの調光比が１００％であり、ＬＥＤ光源２２Ｄの調光比が下限値（例えば順電流ｘ４が９５ｍＡになるときの調光比）である状態を示す。Ｐ２は、点灯制御部６が第１点灯処理を実行した状態に対応する。すなわち、Ｐ２では、ＬＥＤユニット２は、電球色の光を放射する。４つのＬＥＤユニット２の光束（第１光束）の合計は、約６７２０ｌｍである（図１２における点ｆ参照）。
【０１９３】
図１２におけるＰ３は、ＬＥＤ光源２２Ｃの調光比が１００％であり、かつ、ＬＥＤ光源２２Ｄの調光比が１００％である状態（調色比＝１００：１００）を示す。Ｐ３では、ＬＥＤ光源２２Ｃ，２２Ｄの調光比のそれぞれが１００％であるから、ＬＥＤユニット２から放射される光は中間色の光となる。また、光源ユニット２の全光束はＰ３において最大になる（図１２における点ｇ参照）。
【０１９４】
次に、照明装置の動作について説明する。
【０１９５】
リモコン９の押釦１０５が押操作されると、調光・調色状態を「第１の状態」に切り替えるための制御コード（ＬＥＤ光源２２Ｄに対する全点灯指令）が制御部６３に入力され、制御部６３は点灯回路部６１，６２を制御してＬＥＤ光源２２Ｃ，２２Ｄの調光比を調整する。すなわち、点灯制御部６は、第２点灯処理を実行する。
【０１９６】
具体的に説明すると、制御部６３は、４つのＬＥＤ光源２２Ｄを点灯させるために点灯回路部６１から出力させる電流（第２供給電流Ｉ２Ｄ）を３５０ｍＡに設定し、このとき（３）式より、ＬＥＤ光源２２ＤのＬＥＤ２２４の光束は１個あたり約１１０ｌｍとなる。
【０１９７】
また制御部６３は、ＬＥＤ光源２２Ｃを点灯させるために点灯回路部６２から出力させる電流（第２供給電流Ｉ２Ｃ）を１００ｍＡに設定し、このとき（４）式よりＬＥＤ光源２２ＣのＬＥＤ２２３の光束は１個あたり約３０ｌｍ（最小光束）となる。
【０１９８】
そして、４つのＬＥＤユニット２Ａ〜２Ｄの全光束は、（１１０ｌｍ×１２＋３０ｌｍ×１２）×４ユニット＝約６７２０ｌｍとなる（図１２中のｅ点）。
【０１９９】
一方、リモコン９の押釦１０６が押操作されると、調光・調色状態を「第２の状態」に切り替えるための制御コード（ＬＥＤ光源２２Ｃに対する全点灯指令）が制御部６３に入力され、制御部６３は点灯回路部６１，６２を制御してＬＥＤ光源２２Ｃ，２２Ｄの調光比を調整する。すなわち、点灯制御部６は、第１点灯処理を実行する。
【０２００】
具体的に説明すると、制御部６３は、ＬＥＤ光源２２Ｃを点灯させるために点灯回路部６２から出力される電流（第１供給電流Ｉ１Ｃ）を４５０ｌｍＡに設定し、このとき（４）式より、ＬＥＤ光源２２ＣのＬＥＤ２２３の光束は１個あたり約１００ｌｍとなる。
【０２０１】
また制御部６３は、ＬＥＤ光源２２Ｄを点灯させるために点灯回路部６１から出力させる電流（第１供給電流Ｉ１Ｄ）を９５ｍＡに設定し、このとき（３）式より、ＬＥＤ光源２２ＤのＬＥＤ２２４の光束は１個あたり約４０ｌｍ（最小光束）となる。
【０２０２】
そして、４つのＬＥＤユニット２Ａ〜２Ｄの全光束は、（１００ｌｍ×１２＋４０ｌｍ×１２）×４ユニット＝約６７２０ｌｍとなる（図１２中のｆ点）。
【０２０３】
つまり本実施形態では、第１の状態にするときにはＬＥＤ光源２２Ｄの出力を光束定格とし、さらにＬＥＤ光源２２Ｃを補助光源として利用することで、４つのＬＥＤユニット２Ａ〜２Ｄの全光束が約６７２０ｌｍとなる。また第２の状態にするときにはＬＥＤ光源２２Ｃの出力を光束定格以上（１２８．６％）とし、さらにＬＥＤ光源２２Ｄを補助光源として利用することで、４つのＬＥＤユニット２Ａ〜２Ｄの全光束が約６７２０ｌｍとなる。
【０２０４】
したがって、第１の状態にした場合の全光束と第２の状態にした場合の全光束とを略等しくすることができ、その結果、第１の状態から第２の状態に調色する際、及び、第２の状態から第１の状態に調色する際に利用者に違和感を感じさせない照明装置を提供することができる。
【０２０５】
また、第１の状態にするときに電球色に相当する色の光を放射するＬＥＤ光源２２Ｃを補助光源として利用することで、ＬＥＤ光源２２Ｄのみを点灯させた場合に比べて演色性を高めることができる。
【０２０６】
さらに、第２の状態にするときに昼白色に相当する色の光を放射するＬＥＤ光源２２Ｄを補助光源として利用することで、ＬＥＤ光源２２Ｃのみを点灯させた場合に比べて供給電流を必要以上に大きくしなくてもよく、温度上昇を抑えることができて信頼性が向上する。
【０２０７】
（実施形態４）
本実施形態の照明装置を図１３及び図１４に基づいて説明する。
【０２０８】
本実施形態の照明装置では、ＬＥＤユニット２のＬＥＤ光源２２（２２Ｅ，２２Ｆ）の構成が実施形態１〜３の照明装置と異なっている。なお、それ以外の構成は実施形態１〜３と同様であり、同一の構成要素には同一の符号を付して説明を省略する。
【０２０９】
本実施形態の照明装置は、ＬＥＤユニット２と、ＬＥＤユニット２のＬＥＤ光源２２Ｅ，２２Ｆを各別に点灯制御する点灯制御部６とを備える。
【０２１０】
図１３は本実施形態におけるＬＥＤユニット２の回路図である。ＬＥＤユニット２は、図１３に示すように、１２個の発光素子（ＬＥＤ）２２３と、１２個の発光素子（ＬＥＤ）２２４と、を備える。
【０２１１】
本実施形態の光源ユニット（ＬＥＤユニット）２では、１０個の発光素子（ＬＥＤ）２２３と２個の発光素子（ＬＥＤ）２２４の直列回路がＬＥＤ光源２２（２２Ｅ）を構成している。また、１０個の発光素子（ＬＥＤ）２２４と２個の発光素子（ＬＥＤ）２２３の直列回路がＬＥＤ光源２２（２２Ｆ）を構成している。なお、図１３では、ＬＥＤ２２３，２２４同士を区別するために、ＬＥＤ２２３をドットパターンで示している。
【０２１２】
このように、ＬＥＤ光源２２Ｅは、演色性の高い（平均演色評価数Ｒａ９２）電球色に相当する色の光を放射する１０個のＬＥＤ２２３（例えば、ＮＣＳＬ１１９Ａ−Ｈ１：日亜化学工業株式会社製）と、演色性の低い（平均演色評価数Ｒａ８３）昼白色に相当する色の光を放射する２個のＬＥＤ２２４（例えば、ＮＣＷ１１９Ａ−Ｈ３：日亜化学工業株式会社製）を直列接続した直列回路を有し、上記直列回路のアノード側はコネクタ２３の１番ピンｐｉｎ１に接続され、上記直列回路のカソード側はコネクタ２４の３番ピンｐｉｎ３に接続されている。
【０２１３】
またＬＥＤ光源２２Ｆは、２個のＬＥＤ２２３と１０個のＬＥＤ２２４を直列接続した直列回路を有し、上記直列回路のアノード側はコネクタ２３の４番ピンｐｉｎ４に接続され、上記直列回路のカソード側はコネクタ２４の１番ピンｐｉｎ１に接続されている。そして本実施形態においても、実施形態１と同様に、点灯制御部６に対して４つのＬＥＤユニット２Ａ〜２Ｄが接続される（例えば、図１参照）。なお、接続方法については実施形態１と同様であり、ここでは説明を省略する。
【０２１４】
点灯制御部６は、第１点灯処理では、複数の発光素子２２０のうちの第１発光素子群（ＬＥＤ光源）２２Ｅに第１供給電流を供給して、光源ユニット２から第１色温度の光（本実施形態では、電球色の光）を放射させる。点灯制御部６は、第２点灯処理では、複数の発光素子２２０のうちの第２発光素子群（ＬＥＤ光源）２２Ｆに第２供給電流を供給して、光源ユニット２から第２色温度の光（本実施形態では、昼白色の光）を放射させる。
【０２１５】
例えば、第２供給電流は、第２色温度の光の主成分となる光を放射する発光素子（ＬＥＤ）２２４の光束が定格光束（約１１０ｌｍ）となるように決定される。ＬＥＤ光源２２Ｆは、１２個の発光素子（ＬＥＤ）２２０の直列回路である。したがって、第２供給電流はＬＥＤ２２４の定格電流（約３５０ｍＡ）に設定される。
【０２１６】
したがって、点灯制御部６は、第２点灯処理において、ＬＥＤ光源２２Ｆに約３５０ｍＡの順電流を供給する。１０個のＬＥＤ２２４の光束の合計は１１００ｌｍである。上式（４）によれば、順電流ｘ３が約３５０ｍＡである場合に、ＬＥＤ２２３の光束ｙ３は約８０ｌｍとなる。２個のＬＥＤ２２３の光束の合計は１６０ｌｍである。そのため、第２点灯処理におけるＬＥＤ光源２２Ｆの光束（第２光束）は約１２６０ｌｍである。よって、４つのＬＥＤユニット２の光束（第２光束）の合計は、約５０４０ｌｍである。
【０２１７】
第１供給電流は、第１光束が第２光束（約１２６０ｍＡ）に等しくなるように決定される。ＬＥＤ光源２２Ｅは、１０個のＬＥＤ２２３と２個のＬＥＤ２２４の直列回路である。上式（３），（４）によれば、第１供給電流がＩ１であるときのＬＥＤ光源２２Ｅの光束（第１光束）は、（５１／２０）Ｉ１＋１２７．５［ｌｍ］で与えられる。
【０２１８】
例えば、第１供給電流は、第１色温度の光の主成分となる光を放射する発光素子（ＬＥＤ）２２３の光束が所定光束（約１００ｌｍ）となるように決定される。上式（４）によれば、順電流ｘ３が約４５０ｍＡである場合に、ＬＥＤ２２３の光束ｙ３は約１００ｌｍとなる。
【０２１９】
したがって、点灯制御部６は、第１点灯処理において、ＬＥＤ光源２２Ｅに約４５０ｍＡの順電流を供給する。１０個のＬＥＤ２２３の光束の合計は１０００ｌｍである。上式（３）によれば、順電流ｘ４が約４５０ｍＡである場合に、ＬＥＤ２２４の光束ｙ４は約１３７．５ｌｍとなる。２個のＬＥＤ２２４の光束の合計は２７５ｌｍである。したがって、第１点灯処理におけるＬＥＤ光源２２Ｅの光束（第１光束）は約１２７５ｌｍである。よって、４つのＬＥＤユニット２の光束（第１光束）の合計は、約５１００ｌｍである。
【０２２０】
このように、点灯制御部６は、第１光束が第２光束に等しくなるように、第１供給電流および第２供給電流を調整する。なお、本実施形態では、第１光束は約１２７５ｍＡであり、約１２６０ｍＡである第２光束とは厳密には一致していない。しかしながら、第１光束と第２光束との差は約１５ｍＡであり、第１光束（約１２７５ｍＡ）に対して約１％程度である。そのため、この程度の差であれば、第１点灯処理と第２点灯処理との切り替え時に利用者が違和感を覚えることがないため、第１光束と第２光束とが等しいとみなしてよい。
【０２２１】
図１４はＬＥＤ光源２２Ｅ，２２Ｆの全光束と調色比の関係を模式的に表した図である。
【０２２２】
図１４におけるＰ１は、ＬＥＤ光源２２Ｅの調光比が下限値（例えば０％）であり、ＬＥＤ光源２２Ｆの調光比が１００％である状態を示す。Ｐ１は、点灯制御部６が第２点灯処理を実行した状態に対応する。すなわち、Ｐ１では、ＬＥＤユニット２は、昼白色の光を放射する。また、４つのＬＥＤユニット２の光束（第２光束）の合計は、約５０４０ｌｍである（図１４における点ｈ参照）。
【０２２３】
図１４におけるＰ２は、ＬＥＤ光源２２Ｅの調光比が１００％であり、ＬＥＤ光源２２Ｆの調光比が下限値（例えば０％）である状態を示す。Ｐ２は、点灯制御部６が第１点灯処理を実行した状態に対応する。すなわち、Ｐ２では、ＬＥＤユニット２は、電球色の光を放射する。４つのＬＥＤユニット２の光束（第１光束）の合計は、約５１００ｌｍである（図１４における点ｊ参照）。
【０２２４】
図１４におけるＰ３は、ＬＥＤ光源２２Ｅの調光比が１００％であり、かつ、ＬＥＤ光源２２Ｆの調光比が１００％である状態（調色比＝１００：１００）を示す。Ｐ３では、ＬＥＤ光源２２Ｅ，２２Ｆの調光比のそれぞれが１００％であるから、ＬＥＤユニット２から放射される光は中間色の光となる。また、光源ユニット２の全光束はＰ３において最大になる（図１４における点ｋ参照）。
【０２２５】
次に、照明装置の動作について説明する。
【０２２６】
リモコン９の押釦１０５が押操作されると、調光・調色状態を「第１の状態」に切り替えるための制御コード（ＬＥＤ光源２２Ｆに対する全点灯指令）が制御部６３に入力され、制御部６３は点灯回路部６１，６２を制御してＬＥＤ光源２２Ｅ，２２Ｆの調光比を調整する。すなわち、点灯制御部６は、第２点灯処理を実行する。
【０２２７】
具体的に説明すると、制御部６３は、４つのＬＥＤ光源２２Ｆを点灯させるために点灯回路部６１から出力させる電流（第２供給電流）を３５０ｍＡに設定し、このとき（３）式より、ＬＥＤ光源２２ＦのＬＥＤ２２４の光束は１個あたり約１１０ｌｍとなる。またこのとき、（４）式より、ＬＥＤ光源２２ＥのＬＥＤ２２３の光束は１個あたり約８０ｌｍとなる。そして、４つのＬＥＤユニット２Ａ〜２Ｄの全光束は、（１１０ｌｍ×１０＋８０ｌｍ×２）×４ユニット＝約５０４０ｌｍとなる（図１４中のｈ点）。
【０２２８】
一方、リモコン９の押釦１０６が押操作されると、調光・調色状態を「第２の状態」に切り替えるための制御コード（ＬＥＤ光源２２Ｅに対する全点灯指令）が制御部６３に入力され、制御部６３は点灯回路部６１，６２を制御してＬＥＤ光源２２Ｅ，２２Ｆの調光比を調整する。すなわち、点灯制御部６は、第１点灯処理を実行する。
【０２２９】
具体的に説明すると、制御部６３は、ＬＥＤ光源２２Ｅを点灯させるために点灯回路部６２から出力される電流を４５０ｌｍＡに設定し、このとき（４）式より、ＬＥＤ光源２２ＥのＬＥＤ２２３の光束は１個あたり約１００ｌｍとなる。またこのとき、（３）式より、ＬＥＤ光源２２ＦのＬＥＤ２２４の光束は１個あたり約１３７．５ｌｍとなる。そして、４つのＬＥＤユニット２Ａ〜２Ｄの全光束は、（１００ｌｍ×１０＋１３７．５ｌｍ×２）×４ユニット＝約５１００ｌｍとなる（図１４中のｊ点）。
【０２３０】
つまり本実施形態の照明装置では、第１の状態にするときにはＬＥＤ光源２２ＦのＬＥＤ２２４の出力を光束定格とし、さらにＬＥＤ２２３を補助光源として利用することで、４つのＬＥＤユニット２Ａ〜２Ｄの全光束が約５０４０ｌｍとなる。
【０２３１】
また第２の状態にするときにはＬＥＤ光源２２ＥのＬＥＤ２２３の出力を光束定格以上（１２８．６％）とし、さらにＬＥＤ２２４を補助光源として利用することで、４つのＬＥＤユニット２Ａ〜２Ｄの全光束が約５１００ｌｍとなる。
【０２３２】
したがって、第１の状態にした場合の全光束と第２の状態にした場合の全光束とを略等しくすることができ、その結果、第１の状態から第２の状態に調色する際、及び、第２の状態から第１の状態に調色する際に利用者に違和感を感じさせない照明装置を提供することができる。
【０２３３】
また、上述の実施形態３では他方の光色のＬＥＤ２２３（又はＬＥＤ２２４）を補助光源として利用する場合にはＬＥＤ光源２２Ｃ，２２Ｄの両方を制御する必要があるが、本実施形態では何れのＬＥＤ光源２２Ｅ，２２Ｆにも他方の光色のＬＥＤ２２３（又はＬＥＤ２２４）が含まれているため、片方のＬＥＤ光源２２Ｅ（又はＬＥＤ光源２２Ｆ）のみを制御すればよく、制御方法が容易になるという利点がある。
【０２３４】
なお、実施形態３，４の照明装置では、第２供給電流の大きさは第２発光素子（ＬＥＤ）２２４の光束が定格光束となるように決定され、第１供給電流の大きさは第２供給電流の大きさ（すなわち、第２供給電流によって決定されるＬＥＤユニット２の第２光束）に基づいて決定される。しかしながら、実施形態３，４の照明装置においても、実施形態２と同様に、第１供給電流の大きさが、第１発光素子（ＬＥＤ）２２３の光束が定格光束となるように決定されていてもよく、この場合、第２供給電流の大きさは第１供給電流の大きさ（すなわち、第１供給電流によって決定されるＬＥＤユニット２の第１光束）に基づいて決定される。
【０２３５】
（実施形態５）
本実施形態の照明装置は、図１５に示すように、複数（図示例では４つ）の光源ユニット２（２Ａ〜２Ｄ）と、光源ユニット２を制御する点灯制御部６と、を備える。
【０２３６】
本実施形態における光源ユニット２は、色温度が異なる複数（図示例では４８個）の発光素子（ＬＥＤ）２２０を有する。
【０２３７】
複数の発光素子（ＬＥＤ）２２０は、互いに色温度が異なる２種類の発光素子（ＬＥＤ）２２１，２２２を含む。例えば、光源ユニット２は、図１６に示すように、２８個の（第１）発光素子（ＬＥＤ）２２１と、２０個の（第２）発光素子（ＬＥＤ）２２２と、を備える。
【０２３８】
第１発光素子（ＬＥＤ）２２１は、相対的に色温度の低い光（電球色に相当する色の光）を放射するように構成される。４８個の発光素子２２０のうちの２８個の第１発光素子２２１は、光源ユニット２から色温度（第１色温度）の光を放射させるための発光素子群（第１発光素子群）を構成する。すなわち、第１発光素子群は、第１色温度（電球色に相当する色温度）の光の主成分となる光を放射する第１発光素子（ＬＥＤ）２２１を含む。よって、第１発光素子群は、第１色温度の光を放射する光源（ＬＥＤ光源）２２（２２Ｇ）を構成する。
【０２３９】
第２発光素子（ＬＥＤ）２２２は、相対的に色温度の高い光（昼白色に相当する色の光）を放射するように構成される。４８個の発光素子２２０のうちの２０個の第２発光素子２２２は、光源ユニット２から色温度（第１色温度とは異なる第２色温度）の光を放射させるための発光素子群（第２発光素子群）を構成する。すなわち、第２発光素子群は、第２色温度（昼白色に相当する色温度）の光の主成分となる光を放射する第２発光素子（ＬＥＤ）２２２を含む。よって、第２発光素子群は、第２色温度の光を放射する光源（ＬＥＤ光源）２２（２２Ｈ）を構成する。
【０２４０】
図１７はＬＥＤユニット２の外観図（概略正面図）である。このＬＥＤユニット２は、図５に示すＬＥＤユニット２と同様に、プリント基板２１と、複数のＬＥＤ２２０（２２１，２２２）と、２つのコネクタ２３，２４と、を備える。なお、図１７では、ＬＥＤ２２１，２２２同士を区別するために、ＬＥＤ２２１をドットパターンで示している。
【０２４１】
複数のＬＥＤ２２１および複数のＬＥＤ２２２は、プリント基板２１の一面（ＬＥＤユニット２の表面）において光束が一様に分布するように、プリント基板２１の一面に実装されている。
【０２４２】
例えば、プリント基板２１の一面における短手方向（幅方向）の一端側（図１７における右端側）にはプリント基板２１の長手方向に沿う発光素子アレイ（第１発光素子アレイ）が設けられ、短手方向（幅方向）の他端側（図１７における左端側）にはプリント基板２１の長手方向に沿う発光素子アレイ（第２発光素子アレイ）が設けられる。
【０２４３】
第１発光素子アレイは、１６個のＬＥＤ２２１と１０個のＬＥＤ２２２との合計２６個のＬＥＤ２２０を含む。第２発光素子アレイは、１２個のＬＥＤ２２１と１０個のＬＥＤ２２２との合計２２個のＬＥＤ２２０を含む。第１および第２発光素子アレイでは、ＬＥＤ２２１，２２２が等間隔で一列に配置されている。
【０２４４】
したがって、本実施形態のＬＥＤユニット２によれば、第１点灯処理および第２点灯処理のいずれにおいても、ＬＥＤユニット２の表面における光の明るさが均一になる。
【０２４５】
また、ＬＥＤ２２１，２２２は、第１点灯処理におけるＬＥＤユニット２の発光領域と第２点灯処理におけるＬＥＤユニット２の発光領域とが実質的に同じになるように、配置されている。
【０２４６】
例えば、図１７に示すＬＥＤユニット２では、第１および第２発光素子アレイにおいて、ＬＥＤ２２２の両隣はＬＥＤ２２１であり、かつ、ＬＥＤ２２１は３個以上連続して並んでいない。
【０２４７】
したがって、本実施形態のＬＥＤユニット２によれば、第１点灯処理と第２点灯処理とを切り替えてもＬＥＤユニット２の発光領域は実質的には変化しない。そのため、利用者に違和感を与えることを防止できる。
【０２４８】
点灯制御部６は、第１点灯処理と第２点灯処理とを実行するように構成される。第１点灯処理では、点灯制御部６は、複数の発光素子２２０のうちの第１発光素子群（ＬＥＤ光源）２２Ｇに第１供給電流を供給して、光源ユニット２から第１色温度の光（本実施形態では、電球色の光）を放射させる。第２点灯処理では、点灯制御部６は、複数の発光素子２２０のうちの第２発光素子群（ＬＥＤ光源）２２Ｈに第２供給電流を供給して、光源ユニット２から第１色温度とは異なる第２色温度の光（本実施形態では、昼白色の光）を放射させる。
【０２４９】
また、点灯制御部６は、複数の点灯処理のそれぞれにおける光源ユニット２の光束（全光束）が互いに等しくなるように、複数の点灯処理のそれぞれにおける供給電流の大きさを調整するように構成される。
【０２５０】
第２供給電流は、ＬＥＤ２２２の光束が定格光束（本実施形態では５１〜６０．５ｌｍ）となる電流（定格電流）である。ＬＥＤ光源２２Ｈでは、５個のＬＥＤ２２２の直列回路が４つ並列に接続されている。したがって、４つの直列回路それぞれに７５ｍＡの順電流が流れるように、第２供給電流は３００ｍＡに設定される。
【０２５１】
各ＬＥＤユニット２は、２０個のＬＥＤ２２２で構成されたＬＥＤ光源２２Ｈを備える。したがって、第２点灯処理におけるＬＥＤユニット２の光束（第２光束）は１０２０〜１２１０ｌｍである。よって、４つのＬＥＤユニット２の光束（第２光束）の合計は、４０８０〜４８４０ｌｍであり、その中心値は約４４６０ｌｍである。
【０２５２】
本実施形態の照明装置では、第１供給電流は、第２供給電流と等しい。すなわち、第１供給電流は、３００ｍＡである。ＬＥＤ光源２２Ｇでは、７個のＬＥＤ２２１の直列回路が４つ並列に接続されている。したがって、４つの直列回路それぞれに７５ｍＡの順電流が流れる。ここで、ＬＥＤ２２１の光束が定格光束（本実施形態では３６〜４２．８ｌｍ）となる電流（定格電流）は７５ｍＡである。すなわち、第１供給電流は、ＬＥＤ２２１の定格電流に等しい。
【０２５３】
各ＬＥＤユニット２は、２８個のＬＥＤ２２１で構成されたＬＥＤ光源２２Ｇを備える。したがって、第１点灯処理におけるＬＥＤユニット２の光束（第１光束）は１００８〜１１９８．４ｌｍである。よって、４つのＬＥＤユニット２の光束（第１光束）の合計は、４０３２〜４７９３．６ｌｍであり、その中心値は約４４１０ｌｍである。
【０２５４】
このように、第１発光素子群（ＬＥＤ光源）２２Ｇおよび第２発光素子群（ＬＥＤ光源）２２Ｈは、第１供給電流の大きさが第２供給電流に等しいときに第２光束が第１光束と等しくなるように決定される。また、点灯制御部６は、第１供給電流の大きさを第２供給電流と一致させるように構成される。
【０２５５】
図１８はＬＥＤ光源２２Ｇ，２２Ｈの全光束と調色比の関係を模式的に表した図である。
【０２５６】
図１８におけるＰ１は、ＬＥＤ光源２２Ｇの調光比が下限値（例えば０％）であり、ＬＥＤ光源２２Ｈの調光比が１００％である状態を示す。Ｐ１は、点灯制御部６が第２点灯処理を実行した状態に対応する。すなわち、Ｐ１では、ＬＥＤユニット２は、昼白色の光を放射する。また、４つのＬＥＤユニット２の光束（第２光束）の合計は、約４４６０ｌｍである（図１８における点ｌ参照）。
【０２５７】
図１８におけるＰ２は、ＬＥＤ光源２２Ｇの調光比が１００％であり、ＬＥＤ光源２２Ｈの調光比が下限値（例えば０％）である状態を示す。Ｐ２は、点灯制御部６が第１点灯処理を実行した状態に対応する。すなわち、Ｐ２では、ＬＥＤユニット２は、電球色の光を放射する。４つのＬＥＤユニット２の光束（第１光束）の合計は、約４４１０ｌｍである（図１８における点ｍ参照）。
【０２５８】
図１８におけるＰ３は、ＬＥＤ光源２２Ｇの調光比が１００％であり、かつ、ＬＥＤ光源２２Ｈの調光比が１００％である状態（調色比＝１００：１００）を示す。Ｐ３では、ＬＥＤ光源２２Ｇ，２２Ｈの調光比のそれぞれが１００％であるから、ＬＥＤユニット２から放射される光は中間色の光となる。また、光源ユニット２の全光束はＰ３において最大になる（図１８における点ｎ参照）。
【０２５９】
次に、本実施形態の照明装置の動作について説明する。
【０２６０】
リモコン９の押釦１０５が押操作されると、調光・調色状態を「第１の状態」に切り替えるための制御コード（ＬＥＤ光源２２Ｈに対する全点灯指令）が制御部６３に入力され、制御部６３は点灯回路部６１，６２を制御してＬＥＤ光源２２Ｇ，２２Ｈの調光比を調整する。すなわち、点灯制御部６は、第２点灯処理を実行する。
【０２６１】
具体的に説明すると、制御部６３は、４つのＬＥＤ光源２２Ｈを点灯させるために点灯回路部６１から出力させる電流（第２供給電流）を３００ｍＡに設定し、このとき上記各直列回路にはそれぞれ７５ｍＡ（１００％）の電流が流れる。
【０２６２】
したがって、各ＬＥＤ光源２２ＢのＬＥＤ２２２の光束は１個あたり５１〜６０．５ｌｍとなる。そして、ＬＥＤ２２２を各々２０個備えたＬＥＤユニット２Ａ〜２Ｄの全光束は、各ＬＥＤ２２２の出力が光束定格となるように各ＬＥＤ２２２に流れる電流を制御することで約４４６０ｌｍ（図１８中のｌ点）となる。
【０２６３】
一方、リモコン９の押釦１０６が押操作されると、調光・調色状態を「第２の状態」に切り替えるための制御コード（ＬＥＤ光源２２Ｇに対する全点灯指令）が制御部６３に入力され、制御部６３は点灯回路部６１，６２を制御してＬＥＤ光源２２Ｇ，２２Ｈの調光比を調整する。すなわち、点灯制御部６は、第１点灯処理を実行する。
【０２６４】
具体的に説明すると、制御部６３は、４つのＬＥＤ光源２２Ｇを点灯させるために点灯回路部６２から出力させる電流（第１供給電流）を３００ｍＡに設定し、このとき上記各直列回路にはそれぞれ７５ｍＡ（１００％）の電流が流れる。
【０２６５】
したがって、各ＬＥＤ光源２２ＧのＬＥＤ２２１の光束は１個あたり３６〜４２．８ｌｍとなる。そして、ＬＥＤ２２１を各々２８個備えたＬＥＤユニット２Ａ〜２Ｄの全光束は、各ＬＥＤ２２１の出力が光束定格となるように各ＬＥＤ２２１に流れる電流を制御することで約４４１０ｌｍ（図１８中のｍ点）となる。
【０２６６】
以上述べたように本実施形態の照明装置は、色温度が異なる複数の発光素子（ＬＥＤ）２２０（２２１，２２２）を有する光源ユニット（ＬＥＤユニット）２と、光源ユニット２を制御する点灯制御部６と、を備える。点灯制御部６は、複数の発光素子（ＬＥＤ）２２０のうちの第１発光素子群（ＬＥＤ光源）２２Ｇに第１供給電流を供給して光源ユニット２から第１色温度の光を放射させる第１点灯処理と、複数の発光素子（ＬＥＤ）２２０のうちの第２発光素子群（ＬＥＤ光源）２２Ｈに第２供給電流を供給して光源ユニット２から第１色温度とは異なる第２色温度の光を放射させる第２点灯処理と、を実行するように構成される。点灯制御部６は、第１点灯処理における光源ユニット２の第１光束が第２点灯処理における光源ユニット２の第２光束に等しくなるように、第１供給電流と第２供給電流とのそれぞれの大きさを調整するように構成される。
【０２６７】
また、本実施形態の照明装置では、第１発光素子群（ＬＥＤ光源）２２Ｇおよび第２発光素子群（ＬＥＤ光源）２２Ｈは、第１供給電流の大きさが第２供給電流に等しいときに第２光束が第１光束と等しくなるように決定される。点灯制御部６は、第１供給電流の大きさを第２供給電流と一致させるように構成される。
【０２６８】
また、本実施形態の照明装置では、第１発光素子群（ＬＥＤ光源）２２Ｇに含まれる発光素子（ＬＥＤ）２２１の数と第２発光素子群（ＬＥＤ光源）２２Ｈに含まれる発光素子（ＬＥＤ）２２２の数とは、第１供給電流の大きさが第２供給電流と同じ大きさである場合に第１光束が第２光束と等しくなるように、選択される。
【０２６９】
また、本実施形態の照明装置では、第１色温度は、第２色温度より低い。第１発光素子群（ＬＥＤ光源）２２Ｇに含まれる発光素子（ＬＥＤ）２２１の数は、第２発光素子群（ＬＥＤ光源）２２Ｈに含まれる発光素子（ＬＥＤ）２２２の数よりも多い。
【０２７０】
以上述べた本実施形態の照明装置によれば、発光色の切り替えに起因する光束の変化を低減できる。すなわち、発光色が異なる複数種類のＬＥＤ光源２２間での光束の変化を低減させた照明装置及びそれを用いた照明器具を提供することができるという効果がある。
【０２７１】
さらに、本実施形態の照明装置では、第１供給電流の大きさが第２供給電流と等しい場合に、第１光束が第２光束と等しくなる。そのため、第１点灯処理（光源ユニット２から電球色の光を放射させる処理）と第２点灯処理（光源ユニット２から昼白色の光を放射させる処理）とで点灯制御部６の設計を変更する必要がない。すなわち、点灯制御部６の点灯回路部６０の設計を複数の点灯処理で共通にできる。よって、複数の点灯回路部６０において部品共用でき、点灯制御部６の信頼性を高めることができる。
【０２７２】
なお、ＬＥＤユニット２の形状やＬＥＤ２２０の種類、個数及び配置、点灯制御部６の構成や制御方法については、上述の実施形態１〜４に限定されるものではなく、色温度の異なる光を放射する複数種類のＬＥＤ光源間での全光束が略等しくなるようになっていれば他の構成でもよい。
【０２７３】
（実施形態６）
本実施形態の照明器具は、実施形態１〜５で説明した照明装置と、当該照明装置を保持する器具本体１とを備える。
【０２７４】
以下に、実施形態１〜５で説明した照明装置を用いた照明器具の実施形態を図１９及び図２０に基づいて説明する。
【０２７５】
本実施形態の照明器具は、引掛シーリング７に着脱自在に取り付けられて天井面１０に施工されるものであって、一般にシーリングライトと呼称される照明器具である。なお、本実施形態の照明器具はシーリングライトに限定されるものではなく、他の照明器具であってもよい。
【０２７６】
照明器具は、図１９及び図２０に示すように、器具本体１と、給電部５と、４つのＬＥＤユニット（光源ユニット）２と、配光パネル３と、カバー４とを主要な構成として備える。
【０２７７】
器具本体１は金属製の板材によって円盤状に形成され、引掛シーリング７と電気的且つ機械的に着脱自在に結合する給電部５が中央部分に配置されている。
【０２７８】
なお、４つのＬＥＤユニット２は、給電部５を中心とする円周方向に並べて器具本体１の下面に取り付けられる（図２０参照）。
【０２７９】
配光パネル３は、アクリル樹脂やポリカーボネート樹脂などの透光性を有する合成樹脂によって円環状に形成され、４つのＬＥＤユニット２の下面を覆うように器具本体１に固定される。また、配光パネル３における各ＬＥＤとの対向部分には、各ＬＥＤから放射される光の配光を制御するための光学部品（レンズ）３１が一体に設けられている。
【０２８０】
カバー４は、アクリル樹脂やポリカーボネート樹脂などの透光性を有する合成樹脂により、上面が開口する扁平な円筒形状に形成され、ＬＥＤユニット２や配光パネル３を内部に収納するようにして器具本体１の下面に着脱自在に取り付けられる。その際、器具本体１の外縁部分に設けられた複数（図２０では３つ）の係止片１１をカバー４の開口端縁に係止させることで、カバー４が器具本体１に取り付けられる。
【０２８１】
上述の照明装置を構成する点灯制御部６は、図１９に示すように器具本体１の上面側における給電部５の周囲に配置されており、図示しない給電線が給電部５と接続されることにより、商用の交流電源２０から給電される。
【０２８２】
以上述べたように、本実施形態の照明器具は、実施形態１〜実施形態５のいずれか１つに記載の照明装置と、照明装置が取り付けられる器具本体１とを備えている。
【０２８３】
而して本実施形態の照明器具によれば、上述の実施形態１〜５の照明装置を用いることによって利用者に違和感を感じさせない照明器具を提供することができる。
【図１】
2013061749.tif 000007
【図２】
2013061749.tif 000008
【図３】
2013061749.tif 000009
【図４】
2013061749.tif 000010
【図５】
2013061749.tif 000011
【図６】
2013061749.tif 000012
【図７】
2013061749.tif 000013
【図８】
2013061749.tif 000014
【図９】
2013061749.tif 000015
【図１０】
2013061749.tif 000016
【図１１】
2013061749.tif 000017
【図１２】
2013061749.tif 000018
【図１３】
2013061749.tif 000019
【図１４】
2013061749.tif 000020
【図１５】
2013061749.tif 000021
【図１６】
2013061749.tif 000022
【図１７】
2013061749.tif 000023
【図１８】
2013061749.tif 000024
【図１９】
2013061749.tif 000025
【図２０】
2013061749.tif 000026
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
色温度が異なる複数の発光素子を有する光源ユニットと、
前記光源ユニットを制御する点灯制御部と、
を備え、
前記点灯制御部は、
前記複数の発光素子のうちの第１発光素子群に第１供給電流を供給して、前記光源ユニットから第１色温度の光を放射させる第１点灯処理と、
前記複数の発光素子のうちの第２発光素子群に第２供給電流を供給して、前記光源ユニットから前記第１色温度とは異なる第２色温度の光を放射させる第２点灯処理と、
を実行するように構成され、
前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成され、
前記第１色温度は、前記第２色温度より低い照明装置であって、
前記第１供給電流の大きさは、前記第１発光素子群に含まれて前記第１色温度の光の主成分となる光を放射する第１発光素子の光束が定格光束となるように決定される、
または、
前記第２供給電流の大きさは、前記第２発光素子群に含まれて前記第２色温度の光の主成分となる光を放射する第２発光素子の光束が定格光束となるように決定される
ことを特徴とする照明装置。
【請求項２】
前記点灯制御部は、前記第１光束が前記第２光束に等しくなるように、前記第１供給電流の大きさを前記第２供給電流と異ならせるように構成される
ことを特徴とする請求項１に記載の照明装置。
【請求項３】
前記第１色温度は、前記第２色温度より低く、
前記点灯制御部は、前記第１光束が前記第２光束に等しくなるように、前記第２供給電流の大きさを前記第１供給電流よりも小さくするように構成される
ことを特徴とする請求項２に記載の照明装置。
【請求項４】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束よりも少なくなるように、決定される
ことを特徴とする請求項３に記載の照明装置。
【請求項５】
前記第１発光素子群に含まれる前記発光素子の数は、前記第２発光素子群に含まれる前記発光素子の数に等しい
ことを特徴とする請求項４に記載の照明装置。
【請求項６】
前記第１発光素子群および前記第２発光素子群は、前記第１供給電流の大きさが前記第２供給電流に等しいときに前記第２光束が前記第１光束と等しくなるように決定され、
前記点灯制御部は、前記第１供給電流の大きさを前記第２供給電流と一致させるように構成される
ことを特徴とする請求項１に記載の照明装置。
【請求項７】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束と等しくなるように、選択される
ことを特徴とする請求項６に記載の照明装置。
【請求項８】
前記第１色温度は、前記第２色温度より低く、
前記第１発光素子群に含まれる前記発光素子の数は、前記第２発光素子群に含まれる前記発光素子の数よりも多い
ことを特徴とする請求項７に記載の照明装置。
【請求項９】
所定の場所の照度を測定する照度検出部を備え、
前記点灯制御部は、前記照度検出部で測定された前記照度が所定値となるように、前記第１供給電流および前記第２供給電流の大きさを調整するように構成される
ことを特徴とする請求項１に記載の照明装置。
【請求項１０】
請求項１に記載の照明装置と、
前記照明装置を保持する器具本体と、
を備える
ことを特徴とする照明器具。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
色温度が異なる複数の発光素子を有する光源ユニットと、
前記光源ユニットを制御する点灯制御部と、
を備え、
前記点灯制御部は、
前記複数の発光素子のうちの第１発光素子群に第１供給電流を供給して、前記光源ユニットから第１色温度の光を放射させる第１点灯処理と、
前記複数の発光素子のうちの第２発光素子群に第２供給電流を供給して、前記光源ユニットから前記第１色温度とは異なる第２色温度の光を放射させる第２点灯処理と、
を実行するように構成され、
前記点灯制御部は、前記第１点灯処理における前記光源ユニットの第１光束が前記第２点灯処理における前記光源ユニットの第２光束に等しくなるように、前記第１供給電流の大きさを前記第２供給電流と異ならせるように構成され、
前記第１色温度は、前記第２色温度より低い照明装置であって、
前記第１供給電流の大きさは、前記第１発光素子群に含まれて前記第１色温度の光の主成分となる光を放射する第１発光素子の光束が定格光束となるように決定される、
または、
前記第２供給電流の大きさは、前記第２発光素子群に含まれて前記第２色温度の光の主成分となる光を放射する第２発光素子の光束が定格光束となるように決定される
ことを特徴とする照明装置。
【請求項２】
前記点灯制御部は、前記第１光束が前記第２光束に等しくなるように、前記第２供給電流の大きさを前記第１供給電流よりも小さくするように構成される
ことを特徴とする請求項１に記載の照明装置。
【請求項３】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束よりも少なくなるように、決定される
ことを特徴とする請求項２に記載の照明装置。
【請求項４】
前記第１発光素子群に含まれる前記発光素子の数は、前記第２発光素子群に含まれる前記発光素子の数に等しい
ことを特徴とする請求項３に記載の照明装置。
【請求項５】
色温度が異なる複数の発光素子を有する光源ユニットと、
前記光源ユニットを制御する点灯制御部と、
を備え、
前記点灯制御部は、
前記複数の発光素子のうちの第１発光素子群に第１供給電流を供給して、前記光源ユニットから第１色温度の光を放射させる第１点灯処理と、
前記複数の発光素子のうちの第２発光素子群に第２供給電流を供給して、前記光源ユニットから前記第１色温度とは異なる第２色温度の光を放射させる第２点灯処理と、
を実行するように構成され、
前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成され、
前記第１色温度は、前記第２色温度より低い照明装置であって、
前記第１供給電流の大きさは、前記第１発光素子群に含まれて前記第１色温度の光の主成分となる光を放射する第１発光素子の光束が定格光束となるように決定される、
または、
前記第２供給電流の大きさは、前記第２発光素子群に含まれて前記第２色温度の光の主成分となる光を放射する第２発光素子の光束が定格光束となるように決定され、
前記第１発光素子群および前記第２発光素子群は、前記第１供給電流の大きさが前記第２供給電流に等しいときに前記第２光束が前記第１光束と等しくなるように決定され、
前記点灯制御部は、前記第１供給電流の大きさを前記第２供給電流と一致させるように構成される
ことを特徴とする照明装置。
【請求項６】
前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束と等しくなるように、選択される
ことを特徴とする請求項５に記載の照明装置。
【請求項７】
前記第１発光素子群に含まれる前記発光素子の数は、前記第２発光素子群に含まれる前記発光素子の数よりも多い
ことを特徴とする請求項６に記載の照明装置。
【請求項８】
所定の場所の照度を測定する照度検出部を備え、
前記点灯制御部は、前記照度検出部で測定された前記照度が所定値となるように、前記第１供給電流および前記第２供給電流の大きさを調整するように構成される
ことを特徴とする請求項１〜７の何れか１項に記載の照明装置。
【請求項９】
請求項１〜８の何れか１項に記載の照明装置と、
前記照明装置を保持する器具本体と、
を備える
ことを特徴とする照明器具。
【手続補正２】
【補正対象書類名】明細書
【補正対象項目名】０００７
【補正方法】変更
【補正の内容】
【０００７】
本発明に係る第１の形態の照明装置は、色温度が異なる複数の発光素子を有する光源ユニットと、前記光源ユニットを制御する点灯制御部と、を備える。前記点灯制御部は、前記複数の発光素子のうちの第１発光素子群に第１供給電流を供給して前記光源ユニットから第１色温度の光を放射させる第１点灯処理と、前記複数の発光素子のうちの第２発光素子群に第２供給電流を供給して前記光源ユニットから前記第１色温度とは異なる第２色温度の光を放射させる第２点灯処理と、を実行するように構成される。前記点灯制御部は、前記第１点灯処理における前記光源ユニットの第１光束が前記第２点灯処理における前記光源ユニットの第２光束に等しくなるように、前記第１供給電流の大きさを前記第２供給電流と異ならせるように構成される。前記第１色温度は、前記第２色温度より低い照明装置である。前記第１供給電流の大きさは、前記第１発光素子群に含まれて前記第１色温度の光の主成分となる光を放射する第１発光素子の光束が定格光束となるように決定される、または、前記第２供給電流の大きさは、前記第２発光素子群に含まれて前記第２色温度の光の主成分となる光を放射する第２発光素子の光束が定格光束となるように決定される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明に係る第２の形態の照明装置では、第１の形態において、前記点灯制御部は、前記第１光束が前記第２光束に等しくなるように、前記第２供給電流の大きさを前記第１供給電流よりも小さくするように構成される。
【手続補正５】
【補正対象書類名】明細書
【補正対象項目名】００１０
【補正方法】変更
【補正の内容】
【００１０】
本発明に係る第３の形態の照明装置では、第２の形態において、前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束よりも少なくなるように、決定される。
【手続補正６】
【補正対象書類名】明細書
【補正対象項目名】００１１
【補正方法】変更
【補正の内容】
【００１１】
本発明に係る第４の形態の照明装置では、第３の形態において、前記第１発光素子群に含まれる前記発光素子の数は、前記第２発光素子群に含まれる前記発光素子の数に等しい。
【手続補正７】
【補正対象書類名】明細書
【補正対象項目名】００１２
【補正方法】変更
【補正の内容】
【００１２】
本発明に係る第５の形態の照明装置は、色温度が異なる複数の発光素子を有する光源ユニットと、前記光源ユニットを制御する点灯制御部と、を備える。前記点灯制御部は、前記複数の発光素子のうちの第１発光素子群に第１供給電流を供給して前記光源ユニットから第１色温度の光を放射させる第１点灯処理と、前記複数の発光素子のうちの第２発光素子群に第２供給電流を供給して前記光源ユニットから前記第１色温度とは異なる第２色温度の光を放射させる第２点灯処理と、を実行するように構成される。前記点灯制御部は、前記第１点灯処理における前記光源ユニットの第１光束が前記第２点灯処理における前記光源ユニットの第２光束に等しくなるように、前記第１供給電流と前記第２供給電流とのそれぞれの大きさを調整するように構成される。前記第１色温度は、前記第２色温度より低い照明装置である。前記第１供給電流の大きさは、前記第１発光素子群に含まれて前記第１色温度の光の主成分となる光を放射する第１発光素子の光束が定格光束となるように決定される、または、前記第２供給電流の大きさは、前記第２発光素子群に含まれて前記第２色温度の光の主成分となる光を放射する第２発光素子の光束が定格光束となるように決定される。前記第１発光素子群および前記第２発光素子群は、前記第１供給電流の大きさが前記第２供給電流に等しいときに前記第２光束が前記第１光束と等しくなるように決定される。前記点灯制御部は、前記第１供給電流の大きさを前記第２供給電流と一致させるように構成される。
【手続補正８】
【補正対象書類名】明細書
【補正対象項目名】００１３
【補正方法】変更
【補正の内容】
【００１３】
本発明に係る第６の形態の照明装置では、第５の形態において、前記第１発光素子群に含まれる前記発光素子の数と前記第２発光素子群に含まれる前記発光素子の数とは、前記第１供給電流の大きさが前記第２供給電流と同じ大きさである場合に前記第１光束が前記第２光束と等しくなるように、選択される。
【手続補正９】
【補正対象書類名】明細書
【補正対象項目名】００１４
【補正方法】変更
【補正の内容】
【００１４】
本発明に係る第７の形態の照明装置では、第６の形態において、前記第１発光素子群に含まれる前記発光素子の数は、前記第２発光素子群に含まれる前記発光素子の数よりも多い。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明に係る第８の形態の照明装置は、第１〜第７の形態のいずれか１つにおいて、所定の場所の照度を測定する照度検出部を備える。前記点灯制御部は、前記照度検出部で測定された前記照度が所定値となるように、前記第１供給電流および前記第２供給電流の大きさを調整するように構成される。
【手続補正１３】
【補正対象書類名】明細書
【補正対象項目名】００１８
【補正方法】変更
【補正の内容】
【００１８】
本発明に係る第９の形態の照明器具は、第１〜第８の形態のいずれか１つの照明装置と、前記照明装置を保持する器具本体と、を備える。
【国際調査報告】
2013061749.tif 000027
2013061749.tif 000028
2013061749.tif 000029